(57)【特許請求の範囲】
【請求項１】
按摩装置であって、
使用者の身体の少なくとも一部分を収容するための領域を形成し、前記按摩装置の外形を定義するボディー構造体（ｂｏｄｙ  ｓｔｒｕｃｔｕｒｅ）；
前記ボディー構造体の前記領域に収容された前記使用者の身体の少なくとも一部分に按摩機能を提供する按摩モジュール；
前記按摩モジュールによって動作可能な按摩パターンについての情報を保存する按摩パターン情報保存ユニット、および前記使用者に提供可能な音源およびバイノーラルビート（ｂｉｎａｕｒａｌ  ｂｅａｔ）についての情報を保存するオーディオ情報保存ユニットを含む保存部；
前記按摩パターンについての情報を分析して按摩パターン分析情報を生成する按摩パターン分析ユニット；
前記使用者に提供可能な音源を分析することによって音源分析情報を生成するオーディオ分析ユニット；および
前記按摩パターン分析ユニットから分析された按摩パターン分析情報に含まれた時間データと、前記オーディオ分析ユニットから分析された音源分析情報に含まれた時間データを分析して、按摩段階および音源段階のうち少なくとも一つが転移する転移時点を決定し、決定された転移時点で前記音源のボリュームおよび前記バイノーラルビートの周波数を変化させるオーディオ最適化ユニットを含む制御部；を含む、按摩装置。
【請求項２】
前記制御部は：
前記オーディオ最適化ユニットによって変化したバイノーラルビートと音源を混合して前記使用者に提供するオーディオ情報を生成するオーディオ混合ユニット；をさらに含む、請求項１に記載の按摩装置。
【請求項３】
前記按摩パターンについての情報または前記按摩パターン分析情報は：
前記使用者から受信された按摩モードに基づいて決定される按摩のタイプ、部位、及び強度のうち少なくとも一つでの違いにより、複数の按摩段階のそれぞれを識別する按摩段階識別情報；を含み、
前記按摩段階識別情報は按摩段階に対する時間データを含む、請求項１に記載の按摩装置。
【請求項４】
前記オーディオ最適化ユニットは：
前記按摩段階識別情報での時間データに基づいて、前記複数の按摩段階で以前（ｐｒｅｖｉｏｕｓ）の按摩段階から次（ｎｅｘｔ）の按摩段階に転移する転移時点を決定し、決定された転移時点で、前記音源のボリュームおよび前記バイノーラルビートの周波数を変化させる、請求項３に記載の按摩装置。
【請求項５】
前記使用者から受信された按摩モードが集中力モードである場合、
前記複数の按摩段階のうち最初の段階は、前記使用者の脳波の状態を覚醒状態から安定状態に転移させるための段階を含み、
前記複数の按摩段階のうち最後の段階は、前記使用者の脳波の状態を安定状態から覚醒状態に転移させるための段階を含む、請求項４に記載の按摩装置。
【請求項６】
前記按摩パターンについての情報または前記按摩パターン分析情報は：
前記使用者から受信された按摩モードに基づいて決定されるかまたは前記使用者から受信された按摩タイプ選択入力によって決定される、叩き、揉みおよび指圧のうち少なくとも一つを含む複数の按摩タイプを識別する按摩タイプ識別情報を含み、
前記按摩タイプ識別情報は按摩タイプに対する時間データを含む、請求項１に記載の按摩装置。
【請求項７】
前記オーディオ最適化ユニットは：
前記按摩タイプ識別情報での時間データに基づいて、前記按摩モジュールによって具現される前記複数の按摩タイプで按摩タイプが変更される時点を決定し、決定された変更時点で、前記音源のボリュームおよび前記バイノーラルビートの周波数を変化させる、請求項６に記載の按摩装置。
【発明の詳細な説明】
【技術分野】
【０００１】
本開示内容は按摩椅子に関し、より具体的には、ブレーンマッサージを遂行する按摩椅子に関する。
【背景技術】
【０００２】
按摩（ｍａｓｓａｇｅ）とは、被術者の身体の一部分を揉んだり、押圧したり、引っ張ったり、叩いたりまたは動かせるなどのように、身体の一部分に多様な形態の力学的刺激を加えることによって被術者の身体の変調を調節し、血液の循環を助け、そして被術者の疲労を回復させる医療補助療法である。
【０００３】
按摩需要の増加は、経済的事情および時間的理由によって人工的な按摩機能を提供する按摩装置または按摩機器に対する需要の増加をもたらした。すなわち、按摩を通じて凝り固まった筋肉をほぐし疲労またはストレスを解消しようとする需要が増大するにつれて、時間および費用が効率的な方式の多様な按摩装置が市販されている。機械的な装置を通じて別途のマッサージ師なしに按摩を遂行する任意の形態の器具、デバイスまたは装置を按摩装置という。
【０００４】
このような按摩装置に対する一例として、使用者が気楽に座って按摩を受けることができる按摩椅子が主に使用される。按摩装置に対する需要が増加するにつれて、按摩椅子に対して、一般的な按摩を遂行する機能の他に使用者がより気楽に休めるように疲れを取ることができる多様な機能が要求されている。
【０００５】
一般的に按摩椅子は、使用者の身体を直接按摩する按摩モジュールと前記按摩装置の動作を制御する制御機構を含むことができる。一般的な按摩モジュールは首、腕、尻、脚、足などの身体部分に、空気圧を利用してエアバックを膨らませる方式で人工的な刺激を使用者に提供できるが、多様な駆動方式の按摩装置が存在し得る。一例として、按摩ローラーが昇下降形態のレールに装着された後、駆動モーターの回転により使用者の身体に沿ってレール方向に移動しながら使用者に刺激を提供する形態の按摩装置が存在し得る。他の例示として、按摩ローラーが回転軸を中心として回転する支持台上に装着された後、駆動モーターの回転により一定の部位を回転しながら按摩機能を提供する形態の按摩装置が存在し得る。
【０００６】
さらに、按摩装置によって具現され得る機能が追加されることにより温熱按摩機能および低周波按摩機能など、多様な形態の按摩刺激を提供できる按摩装置が開発されてきた。温熱按摩装置の場合、特定の形態のパネル内に暖房線を設置する形態を有し得る。低周波按摩装置は微細な電磁波を人体に加えることによって、電磁波による刺激を通じて按摩機能を具現することができる。
【０００７】
前述した通り、按摩装置によって具現され得る機能が多様化されるにつれて、最近では按摩を遂行する間に使用者の脳波を分析したり、使用者のバイオリズムを確認する機能も開発されている。このような試みとともに、按摩を受ける間使用者の脳波を刺激したり、または脳波の刺激を通じて使用者のバイオリズムを制御する機能などに対する技術開発が要求されている状況である。
【０００８】
アメリカ特許公開番号ＵＳ２００８−０２６９６５２号は按摩を遂行する間に按摩装置が使用者の脳波を分析するという技術的特徴を提示している。
【発明の概要】
【発明が解決しようとする課題】
【０００９】
本開示内容は前述した背景技術に対応して導き出されたものであって、本開示内容の多様な目的のうち一つは、使用者にブレーンマッサージモードによる最適化されたブレーン按摩機能を提供することである。
【００１０】
本開示内容の一実施例に係る多様な目的のうち一つは、使用者に按摩装置操作の直観性および便宜性を提供するインターフェースを提供することである。
【課題を解決するための手段】
【００１１】
本開示内容の一実施例に係る按摩装置が開示される。前記按摩装置は：使用者の身体の少なくとも一部分を収容するための領域を形成し、そして前記按摩装置の外形を定義するボディー構造体（ｂｏｄｙ  ｓｔｒｕｃｔｕｒｅ）；前記ボディー構造体内で前記領域に収容された前記使用者の身体の少なくとも一部分に按摩機能を提供する按摩モジュール；前記按摩モジュールによって動作可能な按摩パターンについての情報を保存する按摩パターン情報保存ユニット、および前記使用者に提供可能な音源およびバイノーラルビート（ｂｉｎａｕｒａｌ  ｂｅａｔ）についての情報を保存するオーディオ情報保存ユニットを含む保存部；および前記按摩装置の一つ以上の動作を制御する制御部を含むことができる。ここで、制御部は：前記按摩パターンについての情報を分析する按摩パターン分析ユニット；および前記按摩パターン分析ユニットから分析された按摩パターン分析情報に基づいて、音源のボリュームおよびバイノーラルビートの周波数を時間により変化させるオーディオ最適化ユニットを含むことができる。
【００１２】
本開示内容の一実施例により按摩装置で遂行される方法が開示される。前記方法は：使用者からの按摩モード選択入力を受信する段階；受信された按摩モードと対応する按摩パターン情報を決定する段階；前記決定された按摩パターン情報に基づいて、前記使用者に提供される音源のボリュームおよびバイノーラルビートの周波数を時間により変化させる段階；および前記受信された按摩モードに対応する按摩パターンによる按摩動作と共に、時間的に変化したボリュームを有する音源および時間的に変化した周波数を有するバイノーラルビートが混合されたオーディオ出力を前記使用者に提供する段階を含むことができる。
【００１３】
本開示内容の一実施例により、エンコーディングされた命令を含むコンピューター−読み取り可能保存媒体に保存されたコンピュータープログラムが開示される。前記コンピュータープログラムは、コンピューターシステムの一つ以上のプロセッサによって実行される場合、前記一つ以上のプロセッサに按摩パターンによるオーディオ最適化アルゴリズム（ａｕｄｉｏ  ｏｐｔｉｍｉｚａｔｉｏｎ  ａｌｇｏｒｉｔｈｍ）を遂行させる。前記オーディオ最適化アルゴリズムは：使用者からの按摩モード選択入力を受信する動作；受信された按摩モードと対応する按摩パターン情報を決定する動作；前記決定された按摩パターン情報に基づいて、前記使用者に提供される音源のボリュームおよびバイノーラルビートの周波数を時間により変化させることを決定する動作；および前記受信された按摩モードに対応する按摩パターンによる按摩動作と共に、時間的に変化したボリュームを有する音源および時間的に変化した周波数を有するバイノーラルビートが混合されたオーディオ出力を前記使用者に提供することを決定する動作を含むことができる。
【発明の効果】
【００１４】
本開示内容の一実施例により、使用者にブレーンマッサージモードによる最適化されたブレーン按摩機能が提供され得る。
【００１５】
本開示内容の一実施例により、使用者に按摩装置操作の直観性および便宜性を提供するインターフェースを提供することができる。
【図面の簡単な説明】
【００１６】
多様な様相が図面を参照して記載され、ここで類似する参照番号は総括的に類似する構成要素を指し示す。以下の実施例において、説明目的のために、多数の特定の細部事項が一つ以上の様相の総体的な理解を提供するために提示される。しかし、そのような様相がこのような特定の細部事項なしに実施され得ることは自明であろう。他の例示において、公知の構造および装置が一つ以上の様相の記載を容易とするためにブロック図の形態で図示される。
【００１７】
【図１】本開示内容の一実施例に係る按摩装置の例示的な概念図。
【図２】本開示内容の一実施例に係る按摩装置の例示的なブロック図。
【図３】本開示内容の一実施例により按摩装置によって具現される例示的な動作フローチャート。
【図４】本開示内容の一実施例により按摩装置によって遂行される例示的な按摩機能提供方法のフローチャート。
【図５】本開示内容の一実施例により按摩装置によって遂行される例示的な按摩機能提供方法のフローチャート。
【図６】本開示内容の一実施例により按摩装置によって遂行される例示的な按摩機能提供方法のフローチャート。
【図７】本開示内容の一実施例により按摩装置によって遂行される例示的な按摩機能提供方法のフローチャート。
【図８】本開示内容の一実施例により按摩装置によって遂行される例示的な按摩機能提供方法のフローチャート。
【図９】本開示内容の一実施例により特定の按摩モードによりバイノーラルビートの周波数および音源のボリュームを変更する例示的な方式を図示した図面。
【図１０】本開示内容の一実施例により特定の按摩モードによりバイノーラルビートの周波数および音源のボリュームを変更する例示的な方式を図示した図面。
【図１１】本開示内容の一実施例により按摩装置のメニュー構成の概略図。
【図１２】本開示内容の一実施例により按摩装置のディスプレイに表示される最上位メニュー画面の概略図。
【図１３】本開示内容の一実施例により按摩装置のディスプレイに表示される下位メニュー画面の概略図。
【図１４】本開示内容の一実施例により按摩装置のディスプレイに表示される通知画面の概略図。
【図１５】本開示内容の一実施例により按摩装置のディスプレイに表示される使用者体形決定画面の概略図。
【図１６】本開示内容の一実施例により按摩装置のディスプレイに表示される動作画面の概略図。
【００１８】
【図１７】本開示内容の一実施例により按摩装置のディスプレイに表示される下位メニュー画面の概略図。
【図１８】本開示内容の一実施例により按摩装置のディスプレイに表示される下位メニュー画面の概略図。
【図１９】本開示内容の一実施例により按摩装置のディスプレイに表示される下位メニュー画面の概略図。
【発明を実施するための形態】
【００１９】
按摩装置であって、使用者の身体の少なくとも一部分を収容するための領域を形成し、前記按摩装置の外形を定義するボディー構造体（ｂｏｄｙ  ｓｔｒｕｃｔｕｒｅ）；前記ボディー構造体の前記領域に収容された前記使用者の身体の少なくとも一部分に按摩機能を提供する按摩モジュール；前記按摩モジュールによって動作可能な按摩パターンについての情報を保存する按摩パターン情報保存ユニット、および前記使用者に提供可能な音源およびバイノーラルビート（ｂｉｎａｕｒａｌ  ｂｅａｔ）についての情報を保存するオーディオ情報保存ユニットを含む保存部；および前記按摩パターンについての情報を分析して按摩パターン分析情報を生成する按摩パターン分析ユニット、および前記按摩パターン分析情報に基づいて、前記音源のボリュームおよびバイノーラルビートの周波数を時間により変化させるオーディオ最適化ユニットを含む制御部；を含む按摩装置。
【００２０】
多様な実施例および／または様相が図面を参照して開示される。下記の説明では説明を目的に、一つ以上の様相の全般的理解を助けるために多数の具体的な細部事項が開示される。しかし、このような様相はこのような具体的な細部事項がなくても実行できるという点も本発明の技術分野で通常の知識を有する者に認識できるであろう。以降の記載および添付された図面は一つ以上の様相の特定の例示的な様相を詳細に記述する。しかし、このような様相は例示的なものであり、多様な様相の原理での多様な方法のうち一部が利用され得、記述される説明はそのような様相およびそれらの均等物をすべて含もうとする意図である。
【００２１】
また、多様な様相および特徴が一つ以上の装置、端末、サーバー、デバイス、コンポーネントおよび／またはモジュールなどによって具現され得る。多様なシステムが、追加的な装置、端末、サーバー、デバイス、コンポーネントおよび／またはモジュールなどを含むことができるという点、そして／または図面と関連して議論された装置、端末、サーバー、デバイス、コンポーネント、モジュールなどのすべてを含まなくてもよいという点も理解され認識されるべきである。
【００２２】
本明細書で使われる「実施例」、「例」、「様相」、「例示」等は、記述される任意の様相または設計が異なる様相または設計より良好であるとか、利点があると解釈されないこともある。下記で使われる用語「コンポーネント」、「モジュール」、「システム」、「インターフェース」などは、一般的にコンピューター関連エンティティ（ｃｏｍｐｕｔｅｒ−ｒｅｌａｔｅｄ  ｅｎｔｉｔｙ）を意味し、例えば、これはハードウェア、ハードウェアとソフトウェアの組み合わせ、またはソフトウェアを意味し得る。
【００２３】
併せて、用語「または」は排他的な「または」ではなく内包的な「または」を意味するものと意図される。すなわち、別途に特定されていなかったり文脈上明確ではない場合、「ＸはＡまたはＢを利用する」という自然的な内包的置換の一つを意味するものと意図される。すなわち、ＸがＡを利用したり；ＸがＢを利用したり；またはＸがＡおよびＢをすべて利用する場合、「ＸはＡまたはＢを利用する」が前記場合のうちいずれでも適用され得る。また、本明細書に使われた「および／または」という用語は、列挙された関連アイテムのうち一つ以上のアイテムの可能なすべての組み合わせを指し示し含むものと理解されるべきである。
【００２４】
また、「含む」という用語は、該当特徴および／または構成要素が存在することを意味するが、一つ以上の他の特徴、構成要素および／またはこれらのグループの存在または追加を排除しないものと理解されるべきである。また、別途に特定されていなかったり、単数形態を指示するものと文脈上明確ではない場合、本明細書と特許請求の範囲で単数は一般的に「一つまたはそれ以上」を意味するものと解釈されるべきである。
【００２５】
また、本開示内容で使われる用語「情報」および「データ」は時々互いに交換可能なように使われ得る。
【００２６】
本開示内容の目的および効果、そしてそれらを達成するための技術的構成は、添付される図面と共に詳細に後述されている実施例を参照すれば明確となるであろう。本開示内容の説明において、公知の機能または構成に対する具体的な説明が本開示の要旨を不要に曖昧にさせ得る恐れがあると判断される場合には、その詳細な説明を省略する。そして、後述される用語は本開示での機能を考慮して定義された用語であって、これは使用者、運用者の意図または慣例などにより一部変更されてもよい。
【００２７】
本開示内容は以下で説明される実施例に限定されるものではなく、特許請求の範囲に記載された範囲内で実施例間の組み合わせを通じて、互いに異なる多様な形態で具現され得る。ただし、本実施例は本開示を完全なものとし、本開示が属する技術分野で通常の知識を有する者に開示の範疇を完全に通知するために提供されるものであり、本開示内容は請求項の範疇によって定義されるのみである。したがってその定義は本明細書全般にわたった内容に基づいて下されるべきである。
【００２８】
本開示内容における音源は、クラシック音楽、ジャズ音楽、楽器演奏音楽およびポップ音楽などの多様な形態の音楽、水の音および鳥の声などの自然の音、およびバイノーラルビートなどを含む任意のオーディオ（ａｕｄｉｏ）形態の情報を含むことができる。また、本開示内容におけるバイノーラルビートは脳波を調節できる特定の形態のオーディオ情報を意味し得る。
【００２９】
一実施例において、本開示内容における音源のボリュームはバイノーラルビートと任意の音楽が混合された混合音源の全体的なボリュームを意味し得る。他の例示として、本開示内容における音源のボリュームはバイノーラルビートと混合される前の音楽（例えば、クラシック音楽、自然の音など）のボリュームを意味してもよい。
【００３０】
一実施例において、本開示内容におけるバイノーラルビートの周波数はトン−ビート（ｔｏｎｅ−ｂｅａｔ）周波数を意味し得、その単位はヘルツ（Ｈｚ）を意味し得る。他の例示として、本開示内容におけるバイノーラルビートの周波数はトン周波数またはビット周波数を意味してもよい。
【００３１】
本開示内容における按摩パターンは：（１）特定のモードにしたがって使用者に提供される全体の按摩時間または流れ別按摩時間、（２）按摩モジュールで提供される力学的刺激の種類を表す按摩タイプ、（３）按摩モジュールの位置を表す按摩部位または按摩位置、および／または（４）按摩モジュールで提供される力学的刺激の強度を表す按摩強度のうち少なくとも一つを含むことができる。
【００３２】
本開示内容における按摩装置は使用者の身体の少なくとも一部分に任意の形態の力学的刺激を提供できる任意の形状の装備、デバイス、装置および機器を意味し得る。本開示内容では按摩装置の代表的な例示として按摩椅子を例に挙げて説明することにする。
【００３３】
按摩装置の追加の機能と関連して、集中力の向上あるいはストレスの解消などを目的として、バイノーラルビートにクラシック音楽などの多様な音楽を混合した任意の形態の音源が使われ得る。按摩椅子の使用者にヒーリングのための音源を提供しようとする試みと関連して、按摩装置は睡眠を誘導するなどの特殊な目的や便宜性のために、按摩パターンをあらかじめ指定しておいた自動按摩モードを提供することができる。このような自動按摩モードの効果を最大化するために、ヒーリング音源も按摩パターンに最適化する過程が必要である。
【００３４】
ヒーリング音源を最適化する過程は、按摩パターンの進行につれてヒーリング音源のボリューム、バイノーラルビートの周波数帯域などの要素に変化を与え、そして変化した要素を利用して按摩装置オーディオ出力部でこれを出力できるように混合する過程を含むことができる。按摩装置で提供する自動按摩モードとヒーリング音楽の個数が多くなるほど、このような過程を手作業で遂行するには作業量が膨大となるため、按摩装置自らで最適化過程を遂行できるアルゴリズムが必要である。
【００３５】
図１は、本開示内容の一実施例に係る按摩装置１００の例示的な概念図である。
【００３６】
本開示内容の一実施例に係る按摩装置１００は、使用者の身体の少なくとも一部分を収容するための領域を形成し、そして前記按摩装置の外形を定義するボディー構造体（ｂｏｄｙ  ｓｔｒｕｃｔｕｒｅ）１０１、ボディー構造体内で前記領域に収容された前記使用者の身体の少なくとも一部分に按摩機能を提供する按摩モジュール１０２、使用者に任意の形態の音源を提供するためのオーディオ出力部１０３、使用者からの任意の形態の入力を受信するための入力部１０４および按摩装置１００の任意の情報を表示するためのディスプレイ１０５を含むことができる。
【００３７】
図１で図示される按摩装置１００の形状および構造は例示的なものに過ぎず、本開示内容の特許請求の範囲によって定義される権利範囲を逸脱しない限り、多様な形態の按摩装置１００も本開示内容の範囲内に含まれ得る。
【００３８】
ボディー構造体１０１は使用者を収容するための任意の形態の空間を形成および定義することができる。ボディー構造体１０１は使用者の身体の形状と対応する形態の外形を有することができる。図１で図示されるように、例えば、ボディー構造体１０１は使用者の全身または身体の一部分を収容できる椅子またはベッドの形状を有することができる。例えば、ボディー構造体１０１で使用者の身体と直接的に接する部分は使用者の着用感を増大させるために、皮革、布、綿などのように相対的にソフト（ｓｏｆｔ）な材質からなり得る。また、ボディー構造体１０１で使用者と直接的に接しない部分は装置の固定性および安定性を図るために、プラスチックおよび／または金属などのように相対的にハード（ｈａｒｄ）な材質からなり得る。ボディー構造体１０１で地面と接する部分は地面との固定性を強化させるために、摩擦力を増大させるための任意の材質、または摩擦力を増大させるための任意の部材（例えば、地面との接触力を増大させるための任意のすべり防止パッド、結着部、接合部、接触部など）からなり得、装置の移動性を強化させるための移動式車輪部もボディー構造体１０１の下端に備えられてもよい。
【００３９】
ボディー構造体１０１は例えば、使用者の頭部分と接し得る頭シート、使用者の背中部分と接し得る背中シート、使用者の尻部分と接し得る尻シート、使用者の腕部分を収容できる肘掛部、そして使用者の脚および足部分を収容して該当部分に刺激を提供できる脚按摩部、などを含む任意の形態の使用者接触部を具備することができる。
【００４０】
ボディー構造体１０１は固定された形状を有する外部パネルを含み、外部パネルの内部に接した使用者接触部はスライディング移動、ヒンジ移動、ピボットト移動および／またはチルティング移動などのように、多様な形態で外部パネルとの相対移動が可能となり得る。このようなボディー構造体１０１での各コンポーネントの相対移動は按摩モードや按摩パターン別に異なって行われ得るため（例えば、第１段階では地面から約２０°移動、第２段階では地面から約４０°移動、そして第３段階では地面から約１７０°移動など）、按摩の効果が最大化され得る。すなわち、各按摩モードや按摩パターンに応じて按摩を受ける姿勢が可変的に調節されるため、使用者に提供される按摩の効果が最大化され得る。
【００４１】
さらに、ボディー構造体１０１は一つ以上の圧力センサを具備してもよい。このような場合、使用者とボディー構造体１０１間の接触面積および接触位置が感知されて、使用者の体形に合うようにボディー構造体１０１での使用者との接触領域の位置および／または面積が変化され得る。制御部２０５はボディー構造体１０１の一つ以上のセンサから受信された信号に基づいて使用者の体形を決定し体形に基づいてボディー構造体１０１を制御することができる。例えば、使用者の脚長が現在のボディー構造体１０１の状態より長いと判断される場合、ボディー構造体１０１で使用者の脚が位置するフレーム（例えば、脚按摩部のフレーム）が延長され得る。
【００４２】
按摩モジュール１０２は、ボディー構造体１０１に収容された使用者に任意の形態の力学的刺激を提供するように按摩装置１００内で構成され、そして位置し得る。図１で図示されるように、按摩モジュール１０２は按摩装置１００の内部（または外部）に形成されたレール形態の構造に沿って移動しながら多様な位置に力学的刺激を提供することができる。このような例示において、按摩モジュール１０２はボール状またはローラー状を有し得る。
【００４３】
按摩モジュール１０２は空気圧制御方式を通じて圧力を外部に印加することもでき、振動モーターを利用して振動を外部に印加することもでき、そしてソレノイド方式を通じて任意の形態の施術体または突起が移動しながら按摩部位に刺激を提供してもよい。さらに、前述した突起または施術体は磁石で形成されることもあるため、磁性によって人体の血液に存在する鉄分が影響を受けて血液循環がさらに促進される効果も導き出され得る。
【００４４】
按摩モジュール１０２は前述した形態の動作原理により、叩き、揉み、手刀叩きおよび指圧のうち少なくとも一つの形態の按摩機能を提供することができる。
【００４５】
オーディオ出力部１０３は使用者に任意の形態のオーディオ出力を提供することができる。オーディオ出力部１０３は按摩装置１００で提供される任意の按摩モードの特性に合うように最適化された音源およびバイノーラルビートを使用者に出力することによって、該当按摩モードに対応するブレーンマッサージを遂行して脳刺激が行われるようにする。オーディオ出力部１０３は、ネットワーク（図示されず）を通じて受信されたり内部／外部保存媒体（図示されず）に保存された音響信号を出力することができる。例えば、オーディオ出力部１０３は使用者端末とネットワーク連結を通じて使用者端末の制御による音源を出力することができる。また、オーディオ出力部１０３は按摩装置１００の作動と関連して発生する任意の形態の音響信号を出力してもよい。
【００４６】
一実施例において、オーディオ出力部１０３は使用者と接触するシート部の上端に配置されたセンサオーディオ出力ユニット、シート部左右側肘掛部ビラに付着した前方オーディオ出力ユニット、および／またはシート部の左右側が肘掛部の後端に付着された後方オーディオ出力ユニットなどのように、複数の出力ユニットで形成されてもよい。このような場合、使用者は按摩装置１００で按摩の提供を受けながら５．１チャネルのような立体音響を享有することができる。
【００４７】
さらに、オーディオ出力部１０３は別途のヘッドホンまたはイヤホンに音響信号の出力を伝達して、使用者の耳に直接出力され得るように制御してもよい。
【００４８】
按摩装置１００は、使用者からの按摩装置の動作の制御と関連した任意の選択を受信するための入力部１０４を含むことができる。図１で図示されるように、入力部１０４は按摩装置１００に一体型で形成されたボタンおよび／またはタッチスクリーンを意味し得る。他の例示として、入力部１０４は按摩装置１００と遠く離れて位置して按摩装置１００と通信できる使用者端末またはリモコンを含むことができる。
【００４９】
入力部１０４は例えば、按摩モードの選択、按摩タイプの選択、按摩強度の選択、按摩時間の選択、按摩部位の選択、ボディー構造体１０１の位置と動作に対する選択、按摩装置の電源のｏｎ−ｏｆｆに対する選択、自動モードに対する選択、温熱機能の動作の有無に対する選択、音源再生に関連した選択などを含む任意の選択入力を受信することができる。
【００５０】
また、入力部１０４はあらかじめ設定された使用者設定機能または自体的にあらかじめ設定された機能などにしたがって、ホットキー（ｈｏｔ  ｋｅｙ）形態のボタンおよび／または方向選択、取り消し、入力を実行するための選択ボタンなどを具備することができる。入力部１０４は特定の部位に加えられた圧力または特定の部位に発生する静電容量などの変化を電気的信号に変換できるタッチセンサを含んでもよい。タッチセンサはタッチされる位置および面積だけでなくタッチに対する圧力の強度を検出してもよい。
【００５１】
また、入力部１０４は音声認識技術を活用して、使用者の発話を通じて入力を感知してもよい。また、入力部１０４はキーパッド、ドームスイッチ、タッチパッド（定圧／静電）、ジョグホイール、ジョグスイッチのうち少なくとも一つから具現され得、これに限定されはしない。
【００５２】
また、按摩装置１００は按摩装置１００の動作状況または使用者の現在の状態などを表示するためのディスプレイ１０５を含むことができる。本開示内容の実施例に係るディスプレイ１０５は、液晶ディスプレイ（ｌｉｑｕｉｄ  ｃｒｙｓｔａｌ  ｄｉｓｐｌａｙ、ＬＣＤ）、薄膜トランジスター液晶ディスプレイ（ｔｈｉｎ  ｆｉｌｍ  ｔｒａｎｓｉｓｔｏｒ−ｌｉｑｕｉｄ  ｃｒｙｓｔａｌ  ｄｉｓｐｌａｙ、ＴＦＴ  ＬＣＤ）、有機発光ダイオード（ｏｒｇａｎｉｃ  ｌｉｇｈｔ−ｅｍｉｔｔｉｎｇ  ｄｉｏｄｅ、ＯＬＥＤ）、フレキシブルディスプレイ（ｆｌｅｘｉｂｌｅ  ｄｉｓｐｌａｙ）、３次元ディスプレイ（３Ｄ  ｄｉｓｐｌａｙ）のうち少なくとも一つを含むことができる。これらのうち一部のディスプレイは、それを通じて外部が見られるように透明型または光透過型で構成され得る。これは透明ディスプレイと呼ばれ得るが、前記透明ディスプレイの代表的な例としてはＴＯＬＥＤ（Ｔｒａｎｓｐａｒｅｎｔ  ＯＬＥＤ）等がある。入力部１０４の具現形態によりディスプレイは二つ以上存在してもよい。また、前述したディスプレイ１０５は入力部１０４に位置してもよく、入力部１０４とは分離されて按摩装置１００の任意の位置に存在してもよい。ディスプレイ１０５は後述するようなメニュー画面、グラフィック客体を表示することができる。ディスプレイ１０５はグラフィック客体に対する使用者入力を受信できるタッチスクリーンを含むことができる。ディスプレイ１０５は使用者入力と互いに作用してメニュー、画面の程度、グラフィック客体などを切り替えることができる。
【００５３】
図１で図示してはいないが、本開示内容の一実施例に係る按摩装置１００は、任意の形態のネットワークを通じて、外部按摩装置および／または使用者端末と通信するためのネットワーク連結部をさらに含むことができる。ネットワーク連結部はネットワーク接続のための有／無線接続モジュールを含むことができる。無線接続技術としては例えば、ＷＬＡＮ（Ｗｉｒｅｌｅｓｓ  ＬＡＮ）（Ｗｉ−Ｆｉ）、Ｗｉｂｒｏ（Ｗｉｒｅｌｅｓｓ  ｂｒｏａｄｂａｎｄ）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）等が利用され得る。有線接続技術としては例えば、ＸＤＳＬ（Ｄｉｇｉｔａｌ  Ｓｕｂｓｃｒｉｂｅｒ  Ｌｉｎｅ）、ＦＴＴＨ（Ｆｉｂｅｒｓ  ｔｏ  ｔｈｅ  ｈｏｍｅ）、ＰＬＣ（Ｐｏｗｅｒ  Ｌｉｎｅ  Ｃｏｍｍｕｎｉｃａｔｉｏｎ）等が利用され得る。また、ネットワーク連結部は近距離通信モジュールを含み、近距離に位置する任意の装置／端末とデータを送受信することができる。例えば、近距離通信（ｓｈｏｒｔ  ｒａｎｇｅ  ｃｏｍｍｕｎｉｃａｔｉｏｎ）技術としてブルートゥース（登録商標（Ｂｌｕｅｔｏｏｔｈ））、ＲＦＩＤ（Ｒａｄｉｏ  Ｆｒｅｑｕｅｎｃｙ  Ｉｄｅｎｔｉｆｉｃａｔｉｏｎ）、赤外線通信（ＩｒＤＡ、ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、ジグビー（ＺｉｇＢｅｅ）等が利用され得る。
【００５４】
すなわち、本開示内容におけるネットワークは、無線ＬＡＮ（Ｗｉｒｅｌｅｓｓ  ＬＡＮ：ＷＬＡＮ）、ワイファイ（Ｗｉ−Ｆｉ）、ワイヤレスブロードバンド（Ｗｉｒｅｌｅｓｓ  Ｂｒｏａｄｂａｎｄ：Ｗｉｂｒｏ）、ワイマックス（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ：Ｗｉｍａｘ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＩＥＥＥ  ８０２．１６、ロングタームエボリューション（Ｌｏｎｇ  Ｔｅｒｍ  Ｅｖｏｌｕｔｉｏｎ：ＬＴＥ）、広帯域無線移動通信サービス（Ｗｉｒｅｌｅｓｓ  Ｍｏｂｉｌｅ  Ｂｒｏａｄｂａｎｄ  Ｓｅｒｖｉｃｅ：ＷＭＢＳ）等が含まれ得る。本開示内容の実施例に係る近距離通信技術としては、ブルートゥース（Ｂｌｕｅｔｏｏｔｈ）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ：ＩｒＤＡ）、ＵＷＢ（Ｕｌｔｒａ  Ｗｉｄｅｂａｎｄ）、ジグビー（ＺｉｇＢｅｅ）、隣接磁場通信（Ｎｅａｒ  Ｆｉｅｌｄ  Ｃｏｍｍｕｎｉｃａｔｉｏｎ；ＮＦＣ）等が含まれ得る。本開示内容の実施例に係る有線通信技術としては、ＵＳＢ通信、イーサネット（登録商標（Ｅｔｈｅｒｎｅｔ））、シリアル通信（ｓｅｒｉａｌ  ｃｏｍｍｕｎｉｃａｔｉｏｎ）、光／同軸ケーブルなどを含むことができる。前述したような記載は本開示の実施例に係る例示的な記載に過ぎず、本開示の権利範囲はこれに制限されないことが当業者であれば明確に理解できるであろう。
【００５５】
さらに、図１で図示してはいないが、本開示内容の一実施例に係る按摩装置１００は、点発光、線発光および／または面発光形態の一つ以上の照明部を具備してもよい。このような照明部は按摩装置１００での動作状況、任意のイベント発生などに対応する情報を照明で提供することができる。例えば、照明部はＬＥＤ（Ｌｉｇｈｔ  Ｅｍｉｓｓｉｏｎ  Ｄｉｏｄｅ）を含むことができ、前記ＬＥＤの点滅を通じて使用者にイベントの発生を通知することができる。さらに、照明部はイベントの種類によって発光の形態、発光の強度、および／または点滅周期を可変させて出力することができる。
【００５６】
図２は、本開示内容の一実施例に係る按摩装置１００の例示的なブロック図である。
【００５７】
図２で図示されるように、按摩装置１００は入力部１０４、保存部２０２、制御部２０５、按摩モジュール１０２、およびオーディオ出力部１０３を含むことができる。また、保存部２０２は按摩パターン情報保存ユニット２０３およびオーディオ情報保存ユニット２０４を含むことができる。また、制御部２０５は按摩パターン分析ユニット２０６、オーディオ分析ユニット２０７、オーディオ最適化ユニット２０８、オーディオ混合ユニット２０９、按摩動作制御ユニット２１０、およびオーディオ再生制御ユニット２１１を含むことができる。
【００５８】
図２で図示されるコンポーネント／モジュール／ユニットは例示的なものであり、具現方式により按摩装置１００はさらなるコンポーネントをさらに含むことができたり、または前述したコンポーネントのうち一部が省略されてもよい。
【００５９】
図２での入力部１０４、按摩モジュール１０２およびオーディオ出力部１０３は図１で説明したため、後述される図２に対する説明ではこれらを省略することにする。
【００６０】
保存部２０２は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えばＳＤまたはＸＤメモリなど）、ラム（Ｒａｎｄｏｍ  Ａｃｃｅｓｓ  Ｍｅｍｏｒｙ、ＲＡＭ）、ＳＲＡＭ（Ｓｔａｔｉｃ  Ｒａｎｄｏｍ  Ａｃｃｅｓｓ  Ｍｅｍｏｒｙ）、ロム（Ｒｅａｄ−Ｏｎｌｙ  Ｍｅｍｏｒｙ、ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリ、磁気ディスク、光ディスクのうち少なくとも一つのタイプの保存媒体を含むことができる。按摩装置１００はインターネット（ｉｎｔｅｒｎｅｔ）上で保存部２０２の保存機能を遂行するウェブストレージ（ｗｅｂ  ｓｔｏｒａｇｅ）と関連して動作してもよい。
【００６１】
保存部２０２は按摩装置１００の動作に関連した任意のデータを、一時的にまたは永久的に保存することができる。保存部２０２は按摩モジュールによって動作可能な按摩パターンについての情報を保存する按摩パターン情報保存ユニット２０３、および使用者に提供可能な音源およびバイノーラルビートについての情報を保存するオーディオ情報保存ユニット２０４を含むことができる。
【００６２】
按摩パターン情報保存ユニット２０３は按摩パターンについての情報を保存することができる。按摩パターンについての情報は、使用者に提供される按摩を多様な基準により区分した情報であって、例えば、（１）特定のモードにしたがって使用者に提供される全体の按摩時間についての情報、（２）按摩モジュールで提供される力学的刺激の種類を表す按摩タイプについての情報、（３）按摩モジュールの位置を表す按摩部位または按摩位置についての情報、および／または（４）按摩モジュールで提供される力学的刺激の強度を表す按摩強度についての情報のうち少なくとも一つを含むことができる。
【００６３】
また、按摩パターン情報保存ユニット２０３は特定の按摩モード（例えば、集中力モード、瞑想モード、回復モード、ストレッチングモード、睡眠モード、活力モード、ゴルフモード、ヒップアップモード、受験生モードまたは無重力モードなど）による按摩パターンについての情報をあらかじめ保存することができる。
【００６４】
按摩パターン情報保存ユニット２０３は、前述した按摩パターンについての情報を多様なインデックス値を通じて保存することができる。例えば、按摩パターンについての情報は、コラム（ｃｏｌｕｍｎ）およびロー（ｒｏｗ）を含む関係データベースのテーブル形式で保存され得る。また、按摩パターン情報保存ユニット２０３は按摩パターンが変更される場合、変更されるパターン間の音源のボリュームの変更の程度およびバイノーラルビート周波数の変更の程度をそれぞれ保存することができる。例えば、按摩パターン情報保存ユニット２０３はそれぞれの按摩パターン別に、音源のボリューム値に対するスコアリング値（ｓｃｏｒｉｎｇ  ｖａｌｕｅ）、そしてバイノーラルビートの周波数に対するスコアリング値を保存することができる。このような例示において、按摩パターン情報保存ユニット２０３は按摩部位が「首」である場合の音源のボリュームを１に、そして按摩タイプが「叩き」である場合の音源のボリュームを０．５にスコアリングすることができる。また、按摩パターン情報保存ユニット２０３は按摩部位が「腰」である場合の音源のボリュームを０．５に、そして按摩タイプが「揉み」である場合の音源のボリュームを０．２５にスコアリングすることができる。このような例示において、按摩パターンが「按摩部位：首、そして按摩タイプ：叩き」から「按摩部位：腰、そして按摩タイプ：揉み」に変更される場合、それぞれのスコアリング値の差値でもって音源のボリュームをどのように変更するかを決定することができる。前述した例示において、音源のボリューム値は以前の値１．５（１＋０．５）から０．７５（０．５＋０．２５）に０．７５だけ減少し得る。音源のボリューム値の単位はｄＢであり得るが、相対的な値（すなわち、０．７５だけの減少は以前の値から０．７５％だけ減少）でもよくまたは絶対的な値（すなわち、０．７５だけの減少は以前の値から０．７５ｄＢだけの減少）でもよい。本開示内容の一実施例において、バイノーラルビートに対する周波数の変更も前述したスコアリングの例示と同様の方式で具現され得る。前述した例示での音源のボリューム値の変更の程度およびバイノーラルビートの周波数の変更の程度は後述されるオーディオ最適化ユニット２０８により遂行され得る。
【００６５】
オーディオ情報保存ユニット２０４はバイノーラルビート、楽器演奏音源、自然の音、およびクラシック音楽などの多様な形態のオーディオ情報を保存することができる。オーディオ情報保存ユニット２０４も例えば、コラムおよびローを含む関係データベースのテーブル形式でオーディオ情報を保存することができる。
【００６６】
また、オーディオ情報保存ユニット２０４は特定の自動按摩モード（例えば、集中力モード、瞑想モード、回復モード、ストレッチングモード、睡眠モード、活力モード、ゴルフモードまたは無重力モードなど）によるオーディオ情報をあらかじめ保存することができる。
【００６７】
また、オーディオ情報保存ユニット２０４と按摩パターン情報保存ユニット２０３は互いに連動して、互いに対する情報があらかじめマッピングされて管理されてもよい。例えば、按摩パターンのうち按摩部位が下半身部分である場合、クラシック音楽が出力されるようにあらかじめマッピングされ得る。このような例示において、按摩パターン情報とオーディオ情報間のマッピング情報を別途に管理するための別途のメタ（ｍｅｔａ）情報を保存するメタテーブルなどが生成されてもよい。
【００６８】
按摩パターン情報保存ユニット２０３およびオーディオ情報保存ユニット２０４は使用者オーダーメード型に按摩パターンおよびオーディオ情報を保存してもよい。例えば、按摩装置１００は特定の使用者が好む按摩パターンおよびオーディオ情報をあらかじめ決定された期間の間入力を受け、これを周期的にアップデートすることによって、使用者が自分の按摩パターンまたはオーディオ情報を別途に入力せずとも、自動的に（例えば、ホットキー入力だけを通じて）使用者の好みが反映された按摩パターンおよびオーディオ情報を使用者に提供できるように該当情報を保存することができる。
【００６９】
図２では按摩パターン情報保存ユニット２０３およびオーディオ情報保存ユニット２０４を互いに区別して表示したが、具現により按摩パターン情報保存ユニット２０３およびオーディオ情報保存ユニット２０４は一つの保存ユニットで統合されてもよい。
【００７０】
制御部２０５は按摩装置１００の全体的な動作および按摩装置１００内のコンポーネントの動作を制御することができる。制御部２０５は例えば、按摩パターンについての情報を分析し、按摩パターン分析情報に基づいて音源のボリュームおよびバイノーラルビートの周波数を時間にそって変化させることができ、そして時間によって変化したバイノーラルビートと音源を混合して使用者に提供するオーディオ情報を生成することができる。また、制御部２０５は按摩モジュール１０２の動作およびオーディオ出力部１０３の動作を制御することができる。
【００７１】
本開示内容で記載される実施例または特に制御部２０５と関連して説明される実施例は例えば、ソフトウェア、ハードウェアまたはこれらの組み合わせを通じてコンピューター読み取り可能保存媒体またはこれと類似する任意の保存媒体内で、一つ以上のプロセッサによって具現され得る。
【００７２】
ハードウェア的な具現によると、ここに説明される実施例はＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ、プロセッサ（ｐｒｏｃｅｓｓｏｒｓ）、制御器（ｃｏｎｔｒｏｌｌｅｒｓ）、マイクロ−コントローラー（ｍｉｃｒｏ−ｃｏｎｔｒｏｌｌｅｒｓ）、マイクロ・プロセッサ（ｍｉｃｒｏｐｒｏｃｅｓｓｏｒｓ）、その他の機能の遂行のための電気的なユニットのうち少なくとも一つを利用して具現され得る。一部の場合に本明細書で説明される実施例が制御部２０５そのもので具現され得る。
【００７３】
ソフトウェア的な具現によると、本明細書で説明される手続きおよび機能のような実施例は別途のソフトウェアモジュールで具現され得る。前記ソフトウェアモジュールのそれぞれは、本明細書で説明される一つ以上の機能および作動を遂行できる。適切なプログラム言語で作成されたソフトウェアアプリケーションでソフトウェアコードが具現され得る。前記ソフトウェアコードは保存部２０２に保存され、制御部２０５により実行され得る。
【００７４】
按摩パターン分析ユニット２０６は按摩パターン情報保存ユニット２０３に保存された按摩パターンについての情報を分析することによって、按摩パターン分析情報を生成することができる。
【００７５】
例えば、按摩パターン分析情報は、使用者から受信された按摩モードに基づいて決定される複数の按摩段階のそれぞれを識別する按摩段階識別情報を含むことができる。按摩段階識別情報には按摩段階に対する時間データが含まれ得る。例えば、特定の按摩モードに対する全体的な按摩時間が２０分である場合、そして按摩段階が４段階と識別される場合、各段階別按摩時間は５分に割り当てられ得る。したがって、按摩段階識別情報を通じて、現在按摩時間が１２分目である場合、第２段階の按摩段階が進行中であることが識別され得る。このような例示において、使用者から入力された按摩モードが集中力モードである場合、複数の按摩段階のうち最初の段階は使用者の状態を覚醒状態から安定状態に転移させるための段階を含み、そして複数の段階のうち最後の段階は使用者の状態を安定状態から覚醒状態に転移させるための段階を含むことができる。前記例示において、使用者から入力された按摩モードが瞑想モードである場合、複数の按摩段階のうち最初の段階は使用者の状態を覚醒状態から安定状態に転移させるための段階を含み、そして複数の段階のうち残りの段階は次の段階に行くほど前記使用者の状態をますます深い安定状態に誘導するための段階を含むことができる。
【００７６】
他の例示として、按摩パターン分析情報は、使用者から受信された按摩モードに基づいて決定されるかまたは前記使用者から受信された按摩タイプ選択入力によって決定される、叩き、揉みおよび指圧のうち少なくとも一つを含む複数の按摩タイプを識別する按摩タイプ識別情報を含むことができる。このような按摩タイプ識別情報には按摩タイプ別時間情報を表す時間データが割り当てられ得る。例えば、睡眠モードでは「叩き」形態の按摩タイプが最初０〜５分の間持続され得る。
【００７７】
他の例示として、按摩パターン分析情報は、按摩モジュールによって按摩機能が提供される使用者の身体位置を識別する按摩位置識別情報（例えば、首、肩、背中、腰、尻、脚および／または足）を含むことができる。このような按摩位置識別情報は、使用者から受信された按摩モードに基づいて決定されるかまたは前記使用者から受信された按摩位置選択入力によって決定され得る。按摩位置識別情報は按摩位置に対する時間データを含み、各按摩位置別にあらかじめ割り当てられた時間情報を有することができる。
【００７８】
他の例示として、按摩パターン分析情報は、按摩モジュールによって使用者に提供される按摩の強度を識別する按摩強度識別情報（例えば、按摩のレベルを上／中／下または強／中／弱に区分する情報または按摩の強度を数字で区分した情報）を含むことができる。按摩強度識別情報は、使用者から受信された按摩モードに基づいて決定されたりまたは使用者から受信された按摩強度選択入力によって決定され得る。按摩強度識別情報は按摩強度に対する時間データを含むため、それぞれの按摩強度別に持続する按摩の時間値が分析され得る。
【００７９】
また、按摩パターン分析ユニット２０６は、使用者から受信された按摩モードに基づいて前記使用者に提供する按摩モードを複数の按摩段階に分割し、そして前記分割された按摩段階のそれぞれに対する時間データを決定することによって、前記按摩パターン分析情報を生成することができる。按摩パターン分析情報は多様な形態の按摩パターン別時間データを含んでいるので、按摩パターンが変更される地点を例えばタイムスタンプ（ｔｉｍｅ  ｓｔａｍｐ）を通じて区分することができる。
【００８０】
オーディオ分析ユニット２０７は、オーディオ情報保存ユニット２０４に保存されたオーディオ情報を分析することによってオーディオ分析情報を生成することができる。オーディオ分析ユニット２０７は使用者に提供可能な音源を分析することによって音源分析情報を生成することができる。例えば、オーディオ分析ユニット２０７は、特定の音源に対する音の高低、音源の流れ、および／または総再生時間などに基づいて、特定の音源を複数の段階（例えば、起／承／転／結段階）に分割することができる。すなわち、オーディオ分析ユニット２０７は、使用者に提供可能な音源を複数の段階に分割し、そして分割された音源段階のそれぞれに対する時間データを決定することによって、音源分析情報を生成することができる。このような音源分析情報は特定の音源に対して時間的に変化する変曲点を含むことができる。
【００８１】
オーディオ最適化ユニット２０８は按摩パターン分析ユニット２０６から分析された按摩パターン分析情報に基づいて、音源のボリュームおよびバイノーラルビートの周波数を時間によって変化させることができる。
【００８２】
例えば、オーディオ最適化ユニット２０８は按摩段階識別情報での時間データに基づいて、複数の按摩段階で以前（ｐｒｅｖｉｏｕｓ）の按摩段階から次（ｎｅｘｔ）の按摩段階に移動する時点を決定し、そして移動する時点で、再生する音源のボリュームおよび／またはバイノーラルビートの周波数を変化させることを決定することができる。
【００８３】
オーディオ最適化ユニット２０８は按摩タイプ識別情報での時間データに基づいて、按摩モジュールによって具現される前記複数の按摩タイプで按摩タイプが変更される時点を決定し、変更される時点で、音源のボリュームおよび／またはバイノーラルビートの周波数を変化させることを決定することができる。
【００８４】
オーディオ最適化ユニット２０８は、按摩位置識別情報での時間データに基づいて、按摩モジュールによって具現される複数の按摩位置で按摩位置が変更される時点を決定し、そして変更される時点で、音源のボリュームおよび／またはバイノーラルビートの周波数を変化させることを決定することができる。オーディオ最適化ユニットはさらに、前記按摩位置識別情報での按摩位置が使用者の顔と近いほど前記音源のボリュームが増大するように変化させることができる。したがって、按摩モジュールの位置が使用者の耳に近接した場合、按摩モジュールの動作による騒音によって使用者に出力されるオーディオ情報が相殺されることが防止され得、使用者に雑音のない最適なオーディオ情報が提供され得る。
【００８５】
オーディオ最適化ユニット２０８は、按摩強度識別情報での時間データに基づいて、按摩モジュールによって具現される複数の按摩強度で按摩強度が変更される時点を決定し、そして変更される時点で、音源のボリュームおよび／またはバイノーラルビートの周波数を変化させることができる。オーディオ最適化ユニット２０８はさらに、按摩強度識別情報での按摩強度が高いほど前記音源のボリュームが増大するように変化させることができる。したがって、按摩モジュールのより遂行される按摩強度が高くなる場合、按摩モジュールの動作による騒音によって使用者に出力されるオーディオ情報が相殺されることが防止され得、使用者に雑音のない最適なオーディオ情報が提供され得る。
【００８６】
オーディオ最適化ユニット２０８は、按摩パターン分析ユニット２０６から分析された按摩パターン分析情報およびオーディオ分析ユニット２０７から分析された音源分析情報に基づいて、音源のボリュームおよびバイノーラルビートの周波数を時間によって変化させることができる。
【００８７】
オーディオ最適化ユニット２０８は、按摩パターン分析ユニット２０６から分析された按摩パターン分析情報に含まれた時間データとオーディオ分析ユニット２０７から分析された音源分析情報に含まれた時間データを比較して、按摩段階および音源段階のうち少なくとも一つが転移する転移時点を決定し、そして決定された転移時点で音源のボリュームおよび／またはバイノーラルビートの周波数を変化させることを決定することができる。
【００８８】
オーディオ最適化ユニット２０８は按摩時間、按摩タイプ、按摩部位、按摩強度、音源に対する音の高低、音源の流れ、および／または総再生時間などに基づいて、多様な転移地点を決定することができ、このような転移地点で音源のボリュームおよび／またはバイノーラルビートの周波数を変化させることによって、使用者に按摩パターンおよび音楽パターンに最適化された音響を提供してブレーンマッサージが行われ得るようにする。
【００８９】
オーディオ最適化ユニット２０８はオーディオ分析ユニット２０７から分析されたオーディオ分析情報に含まれた第１タイムスタンプが割り当てられた時点のそれぞれで音源時間段階間の第１変更原因因子を決定し、按摩パターン分析ユニット２０６から分析された按摩パターン分析情報に含まれた第２タイムスタンプが割り当てられた時点のそれぞれで按摩段階間の第２変更原因因子を決定することができる。すなわち、按摩パターン分析情報の場合、按摩タイプ、按摩部位、按摩強度、按摩の流れ別段階などのように多数の因子が含まれ得、オーディオ分析情報も音源に対する音の高低、音源の流れ、音源の再生時間などのように多数の因子が含まれ得る。したがって、第１タイムスタンプおよび第２タイムスタンプのそれぞれはこのような因子間の変化地点をすべて含むことができる。したがって、タイムスタンプの地点で音源のボリュームおよび／またはバイノーラルビートの周波数をどれだけ変更させるかは、変化地点での変化因子のみでもって判断すべきである。
【００９０】
例えば、第２タイムスタンプの地点で按摩部位のみが変更された場合、以前の按摩パターンでの按摩部位の値と以降の按摩パターンでの按摩部位の値のみを比較して、音源のボリュームおよび／またはバイノーラルビートの周波数の変更量が決定され得る。すなわち、オーディオ最適化ユニット２０８は決定された第１変更原因因子を基準として変更前後の変更強度を決定し、そして前記決定された第２変更原因因子を基準として変更前後の変更強度を決定することによって、前記第１タイムスタンプが割り当てられた時点で、そして前記第２タイムスタンプが割り当てられた時点で、前記音源のボリュームおよびバイノーラルビートの周波数の変更量を決定することができる。ここで、第１変更原因因子は：音の高低情報、音源の流れ（ｆｌｏｗ）情報、および音源の再生時間情報から選択された因子を含み、そして前記第２変更原因因子は：按摩の流れ情報、按摩タイプ情報、按摩部位情報および按摩強度情報から選択された因子を含むことができる。
【００９１】
前述した制御部２０５の機能による例示的な実施例において、オーディオ分析ユニット２０７は使用者に提供可能な音源を分析することによって、音源の進行の流れに基づいて音源を複数の時間段階に分割し、そして分割された複数の時間段階を区分する地点のそれぞれに第１タイムスタンプを割り当てて、音源分析情報を生成することができる。そして按摩パターン分析ユニット２０６は、使用者から受信された按摩モードにしたがって按摩によって誘導される前記使用者の状態を表す複数の按摩段階を決定し、そして決定された複数の按摩段階を区分する地点のそれぞれに第２タイムスタンプを割り当てて、按摩パターン分析情報を生成することができる。また、オーディオ最適化ユニット２０８は、第１タイムスタンプが割り当てられた時点で、そして前記第２タイムスタンプが割り当てられた時点で（すなわち、第１タイムスタンプおよび第２タイムスタンプが割り当てられた任意の地点で）、再生する音源のボリュームおよび／またはバイノーラルビートの周波数を変化させることを決定することができる。
【００９２】
オーディオ混合ユニット２０９は、オーディオ最適化ユニット２０８により時間によって変化したバイノーラルビートと音源を混合して前記使用者に提供するオーディオ情報を生成することができる。オーディオ混合ユニット２０９の混合動作およびオーディオ情報生成動作は選択的にオーディオ最適化ユニット２０８により代替されてもよい。
【００９３】
按摩動作制御ユニット２１０は按摩モジュール１０２の動作を制御することができる。例えば、按摩動作制御ユニット２０１は按摩モジュール１０２に信号を伝送して、按摩モジュール１０２の動作位置、動作強度、動作タイプおよび／または動作時間などを制御することができる。したがって、按摩モジュール１０２は按摩動作制御ユニット２１０の制御により使用者に按摩機能を提供することができる。
【００９４】
オーディオ再生制御ユニット２１１はオーディオ出力部１０３の動作を制御することができる。例えば、オーディオ再生制御ユニット２１１はオーディオ出力部１０３に信号を伝送して、オーディオ出力部１０３から出力される音源の種類、強度、および／または持続時間などを制御することができる。したがって、オーディオ出力部１０３はオーディオ再生制御ユニット２１１の制御により使用者にオーディオ情報を出力することができる。
【００９５】
図３は、本開示内容の一実施例により按摩装置１００により具現される例示的な動作フローチャートである。
【００９６】
図３で図示される動作は例示的なものであり、具現により図３の動作のうち一部が省略されてもよく、または追加動作が付加されてもよい。
【００９７】
一実施例により、按摩装置１００は使用者から按摩モード選択入力および／または按摩モードによる按摩実行要請入力を入力部１０４を通じて受信することができる（３０１）。使用者からの入力は、按摩装置１００に統合された入力ボタンまたはあらかじめ指定されたホットキーボタンなどによって直接的に行われてもよくまたは外部端末（またはリモコン）等によって無線で入力されてもよい。使用者が自動按摩モードを選択した場合、按摩パターン保存ユニット２０３およびオーディオ情報保存ユニット２０４に保存されているデータを分析および処理するための動作が実行され得る（３０２および３０３）。
【００９８】
按摩パターン情報保存ユニット２０３は按摩パターン分析ユニット２０６に按摩パターン分析のためのデータを開放することができる（３０５）。すなわち、按摩パターン分析ユニット２０６は按摩パターン情報保存ユニット２０３に保存されたデータにアクセスして、按摩パターン分析情報を生成することができる。
【００９９】
また、按摩パターン情報保存ユニット２０３は按摩パターン情報保存ユニット２０３に保存された特定のモードまたは使用者選択による按摩パターン情報を按摩モジュール１０２に直接伝達することによって、按摩モジュール１０２の力学的刺激生成動作を制御してもよい（３０４）。前記段階３０４は按摩動作制御ユニット２１０により遂行されてもよい。
【０１００】
按摩パターン分析ユニット２０６は按摩パターン分析情報をオーディオ分析ユニット２０７に伝達することができる（３０６）。他の実施例において、按摩パターン分析ユニット２０６は按摩パターン分析情報をオーディオ最適化ユニットに伝達することができる。按摩パターン分析ユニット２０６は全体の按摩時間、按摩段階、按摩タイプ、按摩部位、按摩強度などの按摩パターンの特徴を分析して、これに対するインデックス値を選択してオーディオ分析ユニット２０７またはオーディオ最適化ユニットに伝達することができる。
【０１０１】
オーディオ情報保存ユニット２０４は、保存されているバイノーラルビート、楽器演奏音源、自然の音などのオーディオ情報をオーディオ分析ユニット２０７に伝達することができる（３０７）。また、オーディオ情報保存ユニット２０４は、保存されているバイノーラルビート、楽器演奏音源、自然の音などのオーディオ情報をオーディオ混合ユニット２０９に伝達することができる（３０９）。
【０１０２】
オーディオ分析ユニット２０７はオーディオ分析情報を生成してオーディオ混合ユニット２０９に伝達することができる（３０８）。一実施例において、オーディオ分析情報はオーディオ情報を複数の段階に分割した情報を含んでもよくまたは時間によって音源のボリュームおよび／またはバイノーラルビートの周波数が変化した形態のオーディオ情報を含んでもよい。オーディオ分析ユニット２０７の動作中の一部（例えば、音源のボリュームおよび／またはバイノーラルビート周波数の時間による変更）はオーディオ最適化ユニットによって具現されてもよい。
【０１０３】
オーディオ混合ユニット２０９はオーディオ分析ユニット２０７またはオーディオ最適化ユニットから伝達された最適化された要素に基づいて、音楽とバイノーラルビートを混合させて一つの形態のオーディオ情報を生成することができる。このようなオーディオ情報はオーディオ出力部１０３に伝達されて（３１０）、按摩機能の提供を受ける使用者が最適化された要素の音楽を聴取するように制御することができる。また、オーディオ出力部１０３の制御はオーディオ再生制御ユニット２１１により具現されてもよい。
【０１０４】
按摩モジュール１０２は按摩パターン情報保存ユニット２０３および／または按摩動作制御ユニット２１０の制御による按摩動作（すなわち、力学的刺激）を使用者に提供することができる。
【０１０５】
図４に図示された例示に係る実施例において、按摩モードの全体的な按摩時間は例えば、２０分または３０分に決定され得る。全体の按摩時間が２０分である場合（例えば、集中力モード）には、それぞれの按摩段階には５分が割り当てられて総４段階の按摩段階が存在することができる。全体の按摩時間が３０分である場合（例えば、瞑想モード）には、第１按摩段階および第３按摩段階には５分がそれぞれ割り当てられ、そして第２按摩段階および第４按摩段階には１０分がそれぞれ割り当てられ得る。したがって、按摩モード別按摩段階が時間的に区分されることにより、時間によって音源のボリュームおよび／またはバイノーラルビートの周波数を変更させる地点が区分され得る。このような例示において、第１按摩段階での音源ボリュームが１０である場合、第２按摩段階では音源ボリュームが１−２だけ増大し、第３段階では音源ボリュームが第２按摩段階と同一に維持され、そして第４按摩段階では音源ボリュームが第２按摩段階から１−２だけ減少し得る。また、第１按摩段階でのバイノーラルビートの周波数が１０−２０Ｈｚである場合、第２段階では５−１０Ｈｚ、第３段階では３−７Ｈｚ、そして第４段階では２−５Ｈｚ等にバイノーラルビートの周波数が変化し得る。ここでの音源ボリュームの単位はｄＢであり得るが、相対的な数値（例えば、現在の大きさの１−２だけ減少である場合、１−２％減少したものと解釈）でもよくまたは絶対的な数値（例えば、現在の大きさの１−２だけ減少である場合、１−２ｄＢが減少したものと解釈）でもよい。
【０１０６】
また、按摩タイプに対する例示において、按摩装置１００は按摩タイプが叩きである場合、異なるタイプの按摩タイプより音源ボリュームを０．１−０．５だけ増大させ、按摩タイプが指圧である場合、異なるタイプの按摩タイプよりバイノーラルビートの周波数を０．１−１Ｈｚだけ減少させることができる。
【０１０７】
また、按摩部位に対する例示において、按摩装置１００は按摩部位が首である場合、音源ボリュームを按摩部位が下半身である場合と比べて０．１−０．５だけ増大させ、そしてバイノーラルビートの周波数を下半身である場合と比べて０．１−１Ｈｚだけ減少させることができる。
【０１０８】
また、按摩強度に対する例示において、按摩装置１００は按摩強度が「強」である場合、「中」である場合と比べて音源ボリュームを０．１−０．５だけ増加させることができ、按摩強度が「弱」である場合「中」である場合と比べてバイノーラルビートの周波数を０．１−１Ｈｚだけ減少させることができる。
【０１０９】
前述した通り、本開示内容の一実施例に係る按摩装置１００は、多様な形態の按摩パターンに対する時間値を利用して、バイノーラルビートの周波数および／または音源のボリュームを可変させるための変曲地点をリアルタイムで決定することができる。これを通じて、使用者は按摩を受けるパターンにより最適な音源およびバイノーラルビートの提供を受けることができるため、増大した按摩の効果が使用者に提供され得る。さらに、本開示内容の一実施例により音源のボリュームおよびバイノーラルビートの周波数をリアルタイムで可変させて按摩を提供した場合には、一般的な既存の按摩装置を通じて按摩を受ける場合と比べて、休憩モードと関連して同じ時間の間按摩を受けた時、敏捷性、覚醒、集中および認識力と関連した脳波であるベタ波の発生が顕著に減少し得る。
【０１１０】
図４〜図８は、本開示内容の実施例により按摩装置１００により遂行される例示的な按摩機能提供方法に対するフローチャートである。図４〜図８で説明される按摩機能提供方法は個別的な実施例として具現されてもよいが、これら個別の実施例の任意の組み合わせによる実施例も本開示内容の権利範囲に含まれるという点も当業者によって自明であろう。併せて、図４〜図８の実施例が「段階」の形態を含む方法として説明されても、コンピューター読み取り可能保存媒体に保存されたプログラムをプロセッサが遂行するようになる「動作」、「モジュール」、「ロジック」、および／または「命令」の形式だけでなく、該当段階を機能的に表現する「手段」の形式に変更され得るという点も当業者に自明であろう。
【０１１１】
図４は、本開示内容の一実施例により按摩装置によって遂行される例示的な按摩機能提供方法のフローチャートである。
【０１１２】
図４で図示される段階は例示的なものであり、追加的な段階が存在してもよくまたは段階中の一部は省略されてもよい。また、図４で記載される段階に対する説明のうち、図１〜３に説明された部分については図１〜３に記載された部分を参照すればよく、明細書の明瞭な記載のためにここでは該当記載を省略することにする。
【０１１３】
図４で図示されるように、按摩装置１００は使用者から按摩モード選択入力を受信することができる（４０１）。
【０１１４】
前記按摩モード選択入力に応答して、按摩装置１００は受信された按摩モードと対応する按摩パターン情報を決定することができる（４０２）。すなわち、按摩装置１００は使用者から受信された按摩モード別にあらかじめ保存された按摩パターンについての情報（例えば、按摩の総時間、按摩の進行段階、按摩のタイプ、按摩の強度、按摩の部位など）をリトリーブ（ｒｅｔｒｉｅｖｅ）することができる。按摩パターンについての情報は前述された通り、時間値が割り当てられた按摩パターン値を意味し得る。このような按摩パターンが変更される時間値で按摩装置１００はバイノーラルビートの周波数および／または音源のボリュームを変更させることができる（４０３）。
【０１１５】
例えば、按摩パターン情報が全体の按摩時間による現在按摩段階が「１段階」であり、按摩部位が「尻」であり、按摩タイプが「指圧」であり、そして按摩強度が「中」である場合、各按摩パターン情報単位で音源のボリュームおよび周波数変更のための値がスコアリングされて保存され得る。それから、按摩パターンが変更される場合、例えば、按摩段階が「２段階」に変更される場合、按摩段階と同一の按摩パターン情報（すなわち、第１段階の按摩段階）を探して第１段階に割り当てられたスコアリング値と第２段階に割り当てられたスコアリング値を比較して、その差だけ音源のボリュームおよび／またはバイノーラルビートの周波数が変更され得る。その後、異なるタイプの按摩パターン情報（例えば、按摩の部位が「尻」から「首」に変更）が発生する時点で、該当按摩パターン情報に割り当てられたスコアリング値が互いに比較されて、音源のボリュームおよび／またはバイノーラルビートの周波数をどれほど変更するかが決定され得る。
【０１１６】
それから、按摩装置１００は受信された按摩モードに対応する按摩パターンによる按摩動作と共に、時間的に変化したボリュームを有する音源および時間的に変化した周波数を有するバイノーラルビートが混合されたオーディオ出力を提供することができる（４０４）。
【０１１７】
図５は、本開示内容の一実施例により按摩装置によって遂行される例示的な按摩機能提供方法のフローチャートである。
【０１１８】
按摩装置１００は使用者から按摩モード選択入力を受信することができる（５０１）。このような按摩モード選択入力に応答して、按摩装置１００は受信された按摩モードと対応する複数の按摩段階を識別することができる（５０２）。ここでの複数の按摩段階は例えば、按摩の全体時間を流れ別に分けた段階（例えば、使用者の状態変化と関連した按摩の流れを区分した段階：按摩の流れ段階）を意味し得る。
【０１１９】
按摩装置１００は按摩段階の識別が完了する場合、識別された按摩段階で以前の按摩段階から次の按摩段階に移動する時点を決定することができる（５０３）。すなわち、按摩装置１００は按摩段階間の変更時点を決定することができる。
【０１２０】
それから、按摩装置１００は決定された移動時点で、音源のボリュームおよび／またはバイノーラルビートの周波数を変更することができる（５０４）。ここで、按摩装置１００は決定された移動時点で変更原因因子が何であるかを判断することができる。例えば、集中力モードによる流れに分かれた段階で第２段階から第３段階に変化すると決定される場合、第２段階に割り当てられたスコアリング値と第３段階に割り当てられたスコアリング値を比較して、スコアリング値間の差値に基づいて按摩装置１００は音源のボリュームおよび／またはバイノーラルビート周波数の変化量を決定することができる。
【０１２１】
図６は、本開示内容の一実施例により按摩装置によって遂行される例示的な按摩機能提供方法のフローチャートである。
【０１２２】
按摩装置１００は使用者から按摩モード選択入力を受信することができる（６０１）。このような按摩モード選択入力に応答して、按摩装置１００は受信された按摩モードと対応する複数の按摩タイプを識別することができる（６０２）。ここでの複数の按摩段階は例えば、叩き、指圧、揉みなどの按摩の形態と関連した因子によって分けられた段階を意味し得る。
【０１２３】
按摩装置１００は按摩タイプの識別が完了する場合、識別された按摩タイプで以前の按摩タイプから次の按摩タイプに移動する時点を決定することができる（６０３）。すなわち、按摩装置１００は按摩タイプ間の変更時点を決定することができる。
【０１２４】
それから、按摩装置１００は決定された変更時点で、音源のボリュームおよび／またはバイノーラルビートの周波数を変更することができる（６０４）。ここで、按摩装置１００は決定された変更時点で変更原因因子が何であるかを判断することができる。例えば、変更時点が「揉み」に対する按摩タイプから「叩き」に対する按摩タイプに変更される時点である場合、「揉み」に割り当てられたスコアリング値と「叩き」に割り当てられたスコアリング値を比較して、スコアリング値間の差値に基づいて按摩装置１００は音源のボリュームおよび／またはバイノーラルビート周波数の変化量を決定することができる。
【０１２５】
図７は、本開示内容の一実施例により按摩装置によって遂行される例示的な按摩機能提供方法のフローチャートである。
【０１２６】
按摩装置１００は使用者から按摩モード選択入力を受信することができる（７０１）。このような按摩モード選択入力に応答して、按摩装置１００は受信された按摩モードと対応する複数の按摩位置を識別し、そして識別された按摩位置のそれぞれに対する時間データを決定することができる（７０２）。ここでの複数の按摩位置は例えば、首、尻、腰、脚などの按摩の部位と関連した因子によって区分された段階を意味し得る。
【０１２７】
按摩装置１００は按摩位置または按摩部位に対する識別が完了する場合、識別された按摩位置または按摩部位での時間値を基準として以前の按摩位置から次の按摩位置に変更する時点を決定することができる（７０３）。すなわち、按摩装置１００は按摩位置間の変更時点を決定することができる。
【０１２８】
それから、按摩装置１００は決定された変更時点で、音源のボリュームおよび／またはバイノーラルビートの周波数を変更することができる（７０４）。ここで、按摩装置１００は決定された変更時点で変更原因因子が何であるかを判断することができる。例えば、変更時点が「首」に対する按摩位置から「脚」に対する按摩位置に変更される時点である場合、「首」に割り当てられたスコアリング値と「脚」に割り当てられたスコアリング値を比較して、スコアリング値間の差値に基づいて按摩装置１００は音源のボリュームおよび／またはバイノーラルビート周波数の変化量を決定することができる。
【０１２９】
図８は、本開示内容の一実施例により按摩装置によって遂行される例示的な按摩機能提供方法のフローチャートである。
【０１３０】
按摩装置１００は使用者から按摩モード選択入力および／または按摩強度選択入力を受信することができる（８０１）。このような按摩モード選択入力および／または按摩強度選択入力に応答して、按摩装置１００は受信された按摩モードと対応する複数の按摩強度を識別し、そして識別された按摩強度のそれぞれに対する時間データを決定することができる（８０２）。ここでの複数の按摩強度は例えば、按摩の強度を表す指標であって、強、中、弱などのレベルに関連した因子によって区分された段階を意味し得る。このような按摩強度に対する段階は各段階別に割り当てられた時間データを含むことができる。このような時間データは各按摩強度別に按摩が持続する時間値を意味し得る。
【０１３１】
按摩装置１００は按摩強度に対する識別が完了する場合、識別された按摩強度での時間値を基準として以前の按摩強度から次の按摩強度に変更する按摩強度変更時点を決定することができる（８０３）。すなわち、按摩装置１００は按摩強度間の変更時点を決定することができる。
【０１３２】
それから、按摩装置１００は決定された変更時点で、音源のボリュームおよび／またはバイノーラルビートの周波数を変更することができる（８０４）。ここで、按摩装置１００は決定された変更時点で変更原因因子が何であるかを判断することができる。例えば、変更時点が「強」に対する按摩強度段階から「弱」に対する按摩強度段階に変更される時点である場合、「強」に割り当てられたスコアリング値と「弱」に割り当てられたスコアリング値を比較して、スコアリング値間の差値に基づいて按摩装置１００は音源のボリュームおよび／またはバイノーラルビート周波数の変化量を決定することができる。
【０１３３】
図９は、本開示内容の一実施例により特定の按摩モードによりバイノーラルビートの周波数および音源のボリュームを変更する例示的な方式を図示したものである。
【０１３４】
本開示内容の一実施例において、自動按摩モード（例えば、集中力モード、瞑想モード、回復モード、ストレッチングモード、睡眠モード、活力モード、ゴルフモードまたは無重力モードなど）による按摩パターン情報およびオーディオ情報はあらかじめ保存され得る。
【０１３５】
例えば、睡眠モードは背中按摩部叩き中心から揉みと指圧中心に按摩のタイプを変更しながら、使用者が漸次睡眠状態に進入するように誘導する按摩モードを意味する。本開示内容の実施例により、按摩パターンおよび／またはオーディオ情報に基づいて、音源のボリュームおよび／またはバイノーラルビートの周波数が時間によって変更される場合、睡眠までにかかる時間である睡眠潜伏期が既存の按摩装置と比べて３０％（平均７分）減少したし、睡眠の深さを表す尺度であるＮ３睡眠時間が１００％以上（平均１３分）増加したし、体感睡眠時間も１０％（平均４０分）増加することが明らかとなった。
【０１３６】
例えば、休憩モードは肩から背中、腰按摩の順に、指圧を中心として進行される（すなわち、按摩部位および按摩タイプの特異性存在）全身按摩モードを意味し得る。本開示内容の一実施例により音源のボリュームおよびバイノーラルビートの周波数をリアルタイムで可変させて按摩を提供した場合には、一般的な既存の按摩装置を通じて按摩を受ける場合と比べて、休憩モードと関連して同じ時間の間按摩を受けた時、敏捷性、覚醒、集中および認識力と関連した脳波であるベタ波の発生が顕著に減少し得る。
【０１３７】
例えば、受験生モードまたは集中力モードは、長時間座っている受験生のための按摩部位が腰に集中された腰按摩集中モードを意味し得る。本開示内容の一実施例により音源のボリュームおよびバイノーラルビートの周波数をリアルタイムで可変させて按摩を提供した場合、既存の按摩より集中力維持度および集中力向上度が改善される点が分かった。
【０１３８】
例えば、ゴルフモードは按摩位置と関連して肩と腰のような部位に集中的に叩き按摩が進行される、筋肉をほぐすための按摩モードを意味し得る。また、ヒップアップモードは尻と骨盤（すなわち、按摩位置）に集中的に揉みまたは指圧（すなわち、按摩タイプ）が印加されてヒップアップを誘導するための按摩モードを意味し得る。
【０１３９】
前述した通り、本開示内容の一実施例によると、特定の目的によりあらかじめ保存された按摩モードに基づいて、按摩パターン情報および／またはオーディオ情報を分析し、按摩機能と共に提供される音源のボリュームおよびバイノーラル周波数を時間によって可変させることによって、該当モードが成就しようとする使用者のヒーリング目標値を最大化させることができるという技術的効果が導き出され得る。
【０１４０】
本開示内容の一実施例において、使用者から入力された按摩モードが集中力モードである場合、複数の按摩段階のうち最初の段階は前記使用者の状態を覚醒状態から安定状態に転移させるための段階を含み、そして複数の段階のうち最後の段階は前記使用者の状態を安定状態から覚醒状態に転移させるための段階を含むことができる。
【０１４１】
前述した通り、集中力モードでは１５分の間（すなわち、３つの段階の間）には睡眠モードと類似する方式で使用者を覚醒状態から、第１安定状態および第２安定状態に誘導し、最後の５分の間（すなわち、第４段階の間）には安定段階から覚醒段階に使用者を誘導させることができる。前述した通り、バイノーラルビートの周波数および音源のボリュームを段階別に共に変更させるので、使用者を集中力モードのコンセプトでの望むターゲット（ｔａｒｇｅｔ）状態に効率的に誘導させることができる。これを通じて、使用者には望むモードによる最適な按摩の効果が提供され得る。
【０１４２】
使用者から入力された按摩モードが瞑想モードである場合、複数の按摩段階のうち最初の段階は既使用者の状態を覚醒状態から安定状態に転移させるための段階を含み、そして複数の段階のうち残りの段階は次の段階に行くほど前記使用者の状態をより深い安定状態に誘導するための段階を含むことができる。
【０１４３】
表２で説明されるように、瞑想モードの場合には３０分間過興奮した交感神経が緩和し、心身が弛緩できるように音源のボリュームおよびバイノーラルビートの周波数が調節され得る。本開示内容の一実施例に係る瞑想モードは、時間が経つほどバイノーラルビートの周波数と音源のボリュームの制御を通じて、使用者の状態をより安定化した状態に誘導することができる。
【０１４４】
図９で図示される段階は例示的な段階に過ぎず、より少ない数の段階またはより多くの数の段階も本開示内容の権利範囲に含まれ得る。
【０１４５】
段階を区分する地点（例えば、タイムスタンプ）は図９で９０１、９０２、９０３、９０４および９０５で表現され得る。
【０１４６】
各地点の間では、同じ目的（例えば、使用者の状態を特定の状態に誘導するための目的）を達成するために、バイノーラルビート周波数および／または音源のボリュームが決定され得る。それぞれの分割された期間の間にはバイノーラルビート周波数および／または音源ボリュームが一定の状態に維持され、分割された期間が変更される時点で、バイノーラルビート周波数および／または音源のボリュームが変化され得る。
【０１４７】
前述した通り、バイノーラルビートの周波数および音源のボリュームの変化量は変更地点で変化する因子が何であるかにより変化する因子間の以前の値と以降の値を比較する方式で決定され得る。
【０１４８】
図１０は、本開示内容の一実施例により特定の按摩モードによりバイノーラルビートの周波数および音源のボリュームを変更する例示的な方式を図示する。
【０１４９】
図１０で図示されるように、按摩パターン分析情報は各按摩段階が転移する地点であって、第１タイムスタンプ１０００：１００２、１００３、１００４を含むことができる。また、音源分析情報は各音源の段階が転移する地点であって、第２タイムスタンプ２０００：２００２、２００３、２００４を含むことができる。ここでの第１および第２は互いに異なる因子によるタイムスタンプであることを区分するために使われる。前記第１タイムスタンプ１０００は、按摩パターン分析情報に含まれた全体の按摩時間情報（すなわち、按摩による使用者の状態情報）、按摩タイプ情報、按摩部位情報および／または按摩強度情報が変更される地点に対する時間値に関連した情報を含むことができる。また、前記第２タイムスタンプ２０００は、音源分析情報に含まれた音楽の強度情報、音楽の出力時間情報および音楽の流れ（ｆｌｏｗ）情報が変更される地点に対する時間値に関連した情報を含むことができる。
【０１５０】
図１０では、１００１、２００１地点および１００５、２００５地点は開始および終了地点であって、段階間の変更地点であるタイムスタンプの地点ではないものと図示されたが、具現によって、１００１、２００１地点および１００５、２００５地点のような開始および終了地点も音源のボリュームおよび／またはバイノーラルビートの周波数変更地点であるタイムスタンプが割り当てられた地点となってもよい。
【０１５１】
このようなタイムスタンプ情報１０００、２０００に基づいて、按摩装置１００は音源のボリュームおよび／またはバイノーラルビートの周波数を変更する変更地点情報３０００を決定することができる。図１０での例示では、３００１、３００２、３００３、３００４、３００５、および３００６に対する地点で音源のボリュームおよび／またはバイノーラルビートの周波数が変更され得る。
【０１５２】
また、按摩装置１００はそれぞれの変更地点で、変更された因子が何であるかを決定することができる。例えば、第１変更地点３００１は第１音源段階から第２音源段階に変更された地点を意味し得る。按摩装置１００は第１音源段階から第２音源段階に変更された変更原因因子が何であるかを音源分析情報に基づいて識別することができる。例えば、音源分析情報によって第１音源段階から第２音源段階に変更する原因となる変更原因因子は、音楽の強度（例えば、音楽の強度が弱から強に変更）であり得る。このような場合、音楽の強度が「弱」である場合にあらかじめ割り当てられたバイノーラルビートの周波数のスコアリング値および音源のボリュームのスコアリング値と、音楽の強度が「強」である場合のバイノーラルビートの周波数のスコアリング値および音源のボリュームのスコアリング値と、を互いに比較することによって、按摩装置１００はバイノーラルビートの周波数および音源のボリュームをどれほど変更すべきか（すなわち、変更量）を決定することができる。
【０１５３】
図１１は、本開示内容の一実施例により按摩装置のメニュー構成の概略図である。
【０１５４】
按摩装置のメニュー１００００は使用者の入力により連結され得る下位メニューを含むことができ、各メニューに対応する画面情報がディスプレイ１０５に表示され得る。以下では、各メニューと各メニューに対応する画面情報は同一の参照番号で図示する。按摩装置のメニュー１００００は、自動モードメニュー１１０００、手動モードメニュー１２０００、按摩オプションメニュー１３０００、その他の設定メニュー１４０００を下位メニューに有することができる。図１１に図示されたメニューの構成は、最上位メニューで使用者の選択により進行され得る下位メニューの例示的な連結関係を図示することができる。本開示においてメニューが下位メニューを含むとは、上位メニューに関する画面情報に表示された下位メニューのグラフィック客体を使用者が選択する場合、上位メニューで選択されたグラフィック客体に対応する下位メニューに画面が切り換えられ得ることを意味し得る。すなわち、メニューが下位メニューを含むとは、上位メニューから下位メニューに使用者のメニュー探索が進行され得ることを意味し得る。
【０１５５】
自動モードメニュー１１０００は、あらかじめ決定された按摩パターンおよび按摩時間で構成された自動モード按摩を実行するための機能が連携されたメニューである。自動モードメニュー１１０００は使用者に追加の操作なしに按摩を提供するように、按摩装置の作動時間、按摩パターンを既約束したモードを集めておいたメニューである。自動モードメニュー１１０００は例えば、下位メニューとして、ブレーン−集中力モード、ブレーン−瞑想モード、回復モード、活力モード、ストレッチングモード、睡眠モード、活力モード、ゴルフモード、受験生モード、ヒップアップモード、上半身自動モード、下半身自動モード、ケアモード、リンパマッサージモード、消化モード、二日酔い解消モード、スクスクモード、および無重力モードなどを含むことができ、前述した按摩モードは例示に過ぎず、本開示はこれに制限されない。使用者は自動モードメニュー１１０００を選択し、下位メニューである按摩モードを選択して按摩装置にあらかじめ保存された按摩パターンの按摩機能を稼動させることができる。
【０１５６】
ブレーン−集中力モードは、バイノーラルビートなどのヒーリング音楽と按摩装置１００の機械式マッサージを利用して脳波を同調させて脳機能を向上させるブレーンマッサージモードの一種であって、使用者の集中力を向上させるブレーンマッサージモードであり得る。
【０１５７】
ブレーン−瞑想モードは、バイノーラルビートなどのヒーリング音楽と按摩装置１００の機械式マッサージを利用して脳波を同調させて脳機能を向上させるブレーンマッサージモードの一種であって、使用者の脳を安らかな状態に誘導するブレーンマッサージモードであり得る。ブレーン−集中力モードおよびブレーン−瞑想モードは、回復モードなどのような機械式マッサージモードを下位メニューとして含むことができる。
【０１５８】
回復モードは使用者の肩、背中、腰部分に集中的に指圧マッサージを提供する按摩モードであり得る。
【０１５９】
ストレッチングモードは、使用者の全身を按摩モジュール１０２の空気圧制御を利用して固定した状態で、使用者の全身の各部位を引っ張りながら筋肉をほぐす全身按摩モードであり得、この時、使用者の脚を固定する按摩モジュール１０２と使用者の上半身を固定する按摩モジュール１０２は互いに異なる角度で動いて使用者の身体をストレッチングさせることができる。
【０１６０】
睡眠モードは背中按摩部叩き中心の按摩パターンから時間が経つにつれて揉み、指圧中心の按摩パターンに変わり、使用者の睡眠を誘導する全身按摩モードであり得る。
【０１６１】
活力モードは使用者の肩に集中的に揉みと叩きを提供して使用者の活力を増進させるための按摩モードであり得る。
【０１６２】
ゴルフモードは運動で凝り固まった筋肉をほぐす全身按摩モードであり得、使用者の肩と腰部分に集中的な叩き按摩を提供し、ボディー構造体１０１の角度が３段階に自動調節されて全身の筋肉を効果的に弛緩させる按摩モードであり得る。
【０１６３】
受験生モードは長く座っている受験生のための腰按摩部集中コースであって、腰の上端から下端まで指圧と叩き按摩パターンが主に含まれた全身按摩モードであり得る。
【０１６４】
ヒップアップモードは、使用者の尻と骨盤に集中的に揉み、指圧、エア按摩を提供して使用者のヒップアップを誘導する全身按摩モードであり得る。
【０１６５】
上半身自動モードは、使用者の肩と背中に集中的に揉み、指圧、エア按摩を提供して上半身に集中する按摩モードであり得る。
【０１６６】
下半身自動モードは、使用者の脚、骨盤に集中的に揉み、指圧、エア按摩を提供して下半身に集中する按摩モードであり得る。
【０１６７】
ケアモードは、指圧と叩きで使用者の肩と腰に凝り固まっている筋肉をほぐす弛緩按摩モードであり得る。
【０１６８】
リンパマッサージモードは、使用者の脚を持ち上げるようにボディー構造体１０１を制御し、使用者の腕と脚に空気圧を利用した特殊な形態の揉みを提供して使用者のリンパ液の循環に役立つ按摩モードであり得る。
【０１６９】
消化モードは、使用者の背中部位にある消化に役立つ経穴を集中的に刺激し、使用者の腕と脚を圧迫して消火器側に血液を集中させて使用者の消化を助ける按摩モードであり得る。
【０１７０】
二日酔い解消モードは、使用者の背中部位にある消化に役立つ経穴を集中的に刺激し、使用者の腕と脚を圧迫して消火器側に血液を集中させて使用者の消化器官の安定を助ける按摩モードであり得る。
【０１７１】
スクスクモードは、幼児期および青少年期に該当する使用者の成長痛を緩和し成長を助ける按摩モジュール１０２の動作で構成された按摩モードであり得る。
【０１７２】
無重力モードは、使用者の身体を収容するボディー構造体の角度を調整して使用者に加えられる重力を最小にする最も安らかな姿勢を具現する按摩モードであり得る。
【０１７３】
手動モードメニュー１２０００は、按摩パターンおよび按摩時間を使用者が構成するように許容する手動モードを実行する機能が連携されたメニューであり得る。
【０１７４】
按摩オプションメニュー１３０００は、前記按摩装置のあらかじめ決定された按摩パターンを細部調節するための追加機能で構成された按摩オプションモードを選択するようにする機能が連携されたメニューであり得る。按摩オプションメニュー１３０００はブレーンヒーリング出力メニュー１３１００、使用者便宜機能メニュー１３３００を含むことができる。
【０１７５】
ブレーンヒーリング出力メニュー１３１００は、ブレーンマッサージのためのバイノーラルビートなどのヒーリング音楽の種類を選択できるメニュー１３１１０、１３１３０と、出力の強度を選択できる出力強度選択メニュー１３１５０と、を含むことができる。ブレーンマッサージのためのブレーンヒーリング出力は、バイノーラルビートなどのヒーリング音楽、照明効果などを含むことができ、本開示の範囲はブレーンヒーリング出力の種類に制限されない。ブレーンヒーリング出力メデュ１３１００は、ブレーン−集中力メニュー１３１１０、ブレーン−瞑想メニュー１３１３０、出力強度メニュー１３１５０を含むことができる。
【０１７６】
ブレーン−集中力メニュー１３１１０は、使用者の集中力を増加させるためのブレーンマッサージのために按摩装置１００の出力を選択できる機能と連携されたメニューであり得る。ブレーン−集中力メニュー１３１１０は例えば集中力に関連した音響出力を選択できる機能と連携されたメニューであり得る。
【０１７７】
ブレーン−瞑想メニュー１３１３０は、使用者の脳の休憩のためのブレーンマッサージのために按摩装置１００の出力を選択できる機能と連携されたメニューであり得る。ブレーン−瞑想メニュー１３１３０は例えば脳の休憩に関連した音響出力を選択できる機能と連携されたメニューであり得る。
【０１７８】
出力強度メニュー１３１５０は、ブレーンマッサージのための按摩装置１００の出力の強度を選択できる機能と連携されたメニューであり得る。出力強度メニュー１３１５０は例えばブレーンマッサージのための音響出力の強度を調節するための機能と連携されたメニューであり得る。
【０１７９】
使用者便宜機能メニュー１３３００は、按摩パターンの詳細制御のための機能が連携されたメニューであり得る。使用者便宜機能メニュー１３３００は例えば、按摩モジュール１０２のローリング強度、按摩装置１００の温熱機能の温度調節、按摩モジュール１０２のローリング速度、按摩モジュール１０２のエアバックマッサージの強度などを調節できる機能が連携されたメニューであり得、各機能を調節するための下位メニューを含むことができる。
【０１８０】
その他の設定メニュー１４０００は、按摩装置１００の使用者の身体の少なくとも一部にマッサージを加える機能以外の使用者便宜のための機能を調節するための機能が連携されたメニューであり得る。例えば、その他の設定メニュー１４０００は、ブルートゥース連結、入力ロック、ヘルプ、装置の表示言語などを設定できる機能が連携されたメニューであり得る。すなわち、その他の設定メニュー１４０００は按摩装置１００の按摩動作以外のすべての動作を制御できる機能が連携されたメニューであり得る。
【０１８１】
使用者は入力部１０４を操作してそれぞれのメニューを選択することができる。例えば、使用者は入力部１０４のボタンを操作してそれぞれのメニューを選択することができ、使用者は入力部１０４のタッチスクリーンを操作してディスプレイ１０５に表示されたそれぞれのメニューを選択することができる。本開示は使用者のメニュー選択方法によって制限されない。
【０１８２】
図１２は、本開示内容の一実施例により按摩装置のディスプレイに表示される最上位メニュー画面の概略図である。
【０１８３】
図１２に図示された最上位メニュー画面１００００は、按摩装置１００を稼動させた場合にディスプレイ１０５に最初に表示され得る。図１２に図示された最上位メニュー画面１００００は下位メニューのグラフィック客体１１０００、１２０００、１３０００、１４０００が２＊２形式で表示されていることを図示しているが、これは例示に過ぎず、最上位メニュー画面１００００は３＊３等の多様な表示形式で下位メニューのグラフィック客体を表示することができる。図１２に図示された最上位メニュー画面１００００の例示は自動モードグラフィック客体１１０００がフォーカスされた状態の例示であり得る。
【０１８４】
最上位メニュー画面１００００は按摩装置の使用者が選択できる按摩モードを表す画面情報を含むことができる。前記按摩モード画面情報は、あらかじめ決定された按摩パターンおよび按摩時間で構成された自動モードを実行する機能が連携された自動モードグラフィック客体１１０００、按摩パターンおよび按摩時間を前記按摩装置の使用者が構成するように許容する手動モードを実行する機能が連携された手動モードグラフィック客体１２０００、および前記按摩装置のあらかじめ決定された按摩パターンを細部調節するための追加機能で構成された按摩オプションモードを選択するようにする機能が連携された按摩オプションモードグラフィック客体１３０００、その他の設定に関連した機能が連携されたその他の設定グラフィック客体１４０００、現在のメニュー状態を表すメニュー状態グラフィック客体５０００を含むことができる。
【０１８５】
制御部２０５は入力部１０４の入力に基づいて使用者からグラフィック客体に対する入力を受信する場合、該当グラフィック客体と連携された機能を実行することを決定することができる。
【０１８６】
図１２に図示された例示は、自動モードグラフィック客体１１０００にカーソルが位置する場合を示したものである。図１２に図示された例示がディスプレイ１０５に表示された状態で、使用者から下位メニューと関連した機能と連携されたグラフィック客体１１０００、１２０００、１３０００、１４０００に対する使用者入力を受信する場合、制御部２０５は該当グラフィック客体と連携された機能に画面情報を切り替えることを決定することができる。
【０１８７】
図１３は、本開示内容の一実施例により按摩装置のディスプレイに表示される下位メニュー画面の概略図である。
【０１８８】
図１３は本開示内容の一実施例により自動モード画面情報１１００１のディスプレイ表示を概略的に示した例示図である。図１３に図示された自動モード画面情報１１００１は、最上位メニュー画面１００００が表示された状態で入力部１０４が使用者から自動モードグラフィック客体１１０００に対する入力を受信する場合にディスプレイに表示され得る。制御部２０５はディスプレイ１０５に按摩モード画面情報１００００が表示された状態で入力部１０４が使用者から自動モードグラフィック客体１１０００に対する入力を受信する場合、自動モード画面情報１１００１をディスプレイ１０５に表示することを決定することができる。メニュー状態グラフィック客体５０００は現在ディスプレイ中のメニューが自動モードメニューであることを表すことができる。図１３に図示された自動モード画面情報１１００１の例示は、ブレーン−集中力モードグラフィック客体１１１００がフォーカスされた状態の例示であり得る。
【０１８９】
自動モード画面情報１１００１は、一つ以上のあらかじめ決定された按摩パターンを実行する機能が連携された按摩パターングラフィック客体１１１００、１１２００、１１３００、１１４００を含むことができる。図１３の例示ではグラフィック客体が２＊２形式で表示されていることを図示しているが、これは例示に過ぎず、本開示はグラフィック客体を表示する多様な方式を含むことができる。按摩パターングラフィック客体はあらかじめ決定された按摩パターンを実行する機能が連携された一つ以上のグラフィック客体を含むことができる。図１３の例示では、ブレーン−集中力モードグラフィック客体１１１００、ブレーン−瞑想モードグラフィック客体１１２００、活力モードグラフィック客体１１３００、休憩モードグラフィック客体１１４００を含んでいるが、按摩装置１００のすべての按摩モードがグラフィック客体で表示され得る。現在表示中のグラフィック客体１１１００、１１２００、１１３００、１１４００以外の他の按摩モードが表示され得ることを示すために、スクロールグラフィック客体５００１がディスプレイの下端に表示され得る。前述した通り、本開示内容の按摩装置１００は図１３に図示された按摩パターン以外にも多様な按摩パターンを有することができ、これらの按摩パターンは図１３にグラフィック客体で表示されてはいないが、使用者のスクロールによってこれらの按摩パターン機能が連携されたグラフィック客体が表示され得る。
【０１９０】
図１４は、本開示内容の一実施例により按摩装置のディスプレイに表示される通知画面の概略図である。
【０１９１】
図１４は本開示内容の一実施例によりブレーンマッサージ通知画面情報１１００２のディスプレイ１０５上の表示を示した例示図である。図１４に図示されたブレーンマッサージ通知画面情報１１００２は、自動モード画面情報１１００１が表示された状態で入力部１０４が使用者からブレーン−集中力モードグラフィック客体またはブレイン・瞑想モードグラフィック客体（すなわち、ブレーンマッサージと関連した機能が連携されたグラフィック客体）に対する入力を受信する場合にディスプレイに表示され得る。
【０１９２】
制御部２０５はディスプレイ１０５に自動モード画面情報１１００１が表示された状態で入力部１０４が使用者からブレーン−集中力モードグラフィック客体またはブレーン−瞑想モードグラフィック客体に対する入力を受信する場合、ブレーンマッサージ通知画面情報をディスプレイ１０５に表示することを決定することができる。ブレーンマッサージ通知画面情報１１００２は使用者が選択した按摩モードがブレーンマッサージが含まれたモードであることを通知するための画面情報であり得る。
【０１９３】
ブレーンマッサージ通知画面情報１１００２は、バイノーラルビートを含むヒーリング音楽と按摩装置の按摩を含むブレーンマッサージモードを遂行することを使用者に通知するための通知グラフィック客体５００２および選択された按摩パターンを実行するための段階に進行する機能が連携された進行グラフィック客体５００３を含むことができる。通知グラフィック客体５００２は使用者にブレーンマッサージが実行されることを通知するための情報とブレーンマッサージの詳細内容、ブレーンマッサージの効果に関連した内容を含むことができる。
【０１９４】
ブレーンマッサージ通知画面情報１１００２は使用者がブレーンマッサージを選択した場合にディスプレイされて、該当マッサージモードは按摩装置１００の機械式マッサージ以外にブレーンマッサージを含むことを使用者に通知することができる。
【０１９５】
制御部２０５は、入力部１０４が使用者から進行グラフィック客体５００３に対する入力を受信する場合、按摩動作を実行するための過程を進行することができる。例えば、制御部２０５はボディー構造体１０１の一つ以上のセンサから受信された信号に基づいて使用者の体形を決定することができ、決定された使用者の体形に基づいて按摩モジュール１０２の動きを制御して按摩モジュールを実行することができる。例えばこの場合、制御部２０５は按摩装置１００が使用者の体形を決定していることを表す体形決定画面情報１１００２をディスプレイ１０５に表示することを決定することができる。
【０１９６】
図１５は、本開示内容の一実施例により按摩装置のディスプレイに表示される使用者体形決定画面の概略図である。
【０１９７】
体形決定画面情報１１００３は、入力部１０４が使用者から按摩パターングラフィック客体に対する使用者入力を受信する場合にディスプレイ１０５に表示され得る。また、体形決定画面情報１１００３は前述したブレーンマッサージ通知画面情報１１００２が表示された状態で、入力部１０４が使用者から進行グラフィック客体５００３に対する使用者入力を受信する場合ディスプレイ１０５に表示され得る。体形決定画面情報１１００３は前述した場合以外にも、使用者による按摩モードの選択と按摩モードの実行の間にディスプレイ１０５に表示され得る。
【０１９８】
体形決定画面情報１１００３は使用者形状グラフィック客体５１００、按摩設定グラフィック客体５２００を含むことができる。体形決定画面情報１１００３はさらに使用者便宜機能の動作を表す現在按摩オプショングラフィック客体５００４、按摩装置１００の動作モードおよび動作状態を表す現在按摩モードグラフィック客体５００５をさらに含むことができる。
【０１９９】
使用者形状グラフィック客体５１００は按摩装置の使用者を表すことができる。使用者形状グラフィック客体５１００は、按摩モジュールが配置された位置と対応する使用者身体の部分を表す按摩位置グラフィック客体５１１０を含むことができる。按摩位置グラフィック客体５１１０は、按摩装置１００の按摩が提供され得る使用者身体の各部分を区分して表すことができる。例えば、按摩装置１００はふくらはぎ按摩、太もも按摩、腰按摩、腕按摩、肩按摩などを表すことができ、按摩位置グラフィック客体５１１０は使用者身体の各部分を区分して表すことができる。按摩位置グラフィック客体５１１０は各部位別に選択され得、この場合、選択された各部位の按摩設定を調節できる機能と連携され得る。特定按摩位置グラフィック客体５１１０が選択された状態で、入力部１０４が按摩位置グラフィック客体５１１０に該当しない使用者形状グラフィック客体５１００上の任意の地点に対する入力を受信する場合、制御部２０５は全体按摩部位を選択したものと決定して按摩設定グラフィック客体５２００を全体按摩部位に関連した情報に変更することを決定することができる。
【０２００】
按摩設定グラフィック客体５２００は按摩モジュールの動作に関連した情報を表示し、按摩モジュールの動作を調節する機能が連携され得る。按摩設定グラフィック客体５２００は按摩モジュールの動作強度、動作速度、エアバックの強度、按摩間隙などが表示され得る。按摩設定グラフィック客体５２００は全体的な按摩モジュールの動作に関連した情報が表示されてもよく、使用者が按摩位置グラフィック客体５１１０を選択する場合、選択された一部分の按摩モジュールの動作に関連した情報が表示されてもよい。例えば、按摩設定グラフィック客体５２００は全身の按摩モジュールの動作に関連した情報を表示してもよく、太もも部位に関連した按摩モジュールの動作に関連した情報を表示してもよい。制御部２０５は入力部１０４が按摩位置グラフィック客体５１１０に対する使用者入力を受信する場合、選択された按摩位置グラフィック客体５１１０に対応する位置に配置された按摩モジュールに対応する按摩設定を按摩設定グラフィック客体５２００に表示することを決定することができる。按摩設定グラフィック客体５２００は使用者が按摩位置グラフィック客体５１１０を選択する場合、選択された部位の按摩モジュールの動作に関連した情報に変更され得る。按摩設定グラフィック客体５２００は按摩モジュールの動作を設定する機能が連携されており、入力部１０４が使用者から按摩モジュールの動作を設定する入力を受信する場合、制御部２０５は使用者入力に対応して按摩モジュールの動作を変更することができる。例えば、使用者は按摩設定グラフィック客体５２００を操作して按摩強度を調節することができる。前述した按摩設定は例示に過ぎず、本開示はこれに制限されない。
【０２０１】
現在按摩オプショングラフィック客体５００４は使用者便宜機能の動作を表すことができる。図１５に図示された例示において、現在按摩オプショングラフィック客体５００４のスピーカーの形状は音楽機能が出力されていることを表すことができる。現在按摩オプショングラフィック客体５００４はその他にも温熱機能の動作の有無など、使用者便宜機能の動作の有無、動作状態などを表すことができる。
【０２０２】
現在按摩モードグラフィック客体５００５は動作モードおよび動作状態を表すことができる。図１５に図示された例示において体形決定画面情報１１００３が表示中であるので、現在按摩モードグラフィック客体５００５は按摩装置１００が使用者の体形を決定していることを表すことができる。
【０２０３】
使用者の体形決定が完了した場合、制御部２０５は動作画面情報１１００４を表示することを決定することができる。
【０２０４】
図１６は、本開示内容の一実施例により按摩装置のディスプレイに表示される動作画面の概略図である。
【０２０５】
動作画面情報１１００４は按摩装置１００が使用者に按摩機能を提供するちにディスプレイ１０５に表示され得る。動作画面情報１１００４は按摩装置の按摩動作状態を表す情報を含むことができる。動作画面情報１１００４は使用者形状グラフィック客体５１００、按摩設定グラフィック客体５２００、現在按摩モードグラフィック客体５００５、現在按摩オプショングラフィック客体５００４を含むことができる。使用者形状グラフィック客体５１００、按摩設定グラフィック客体５２００、現在按摩モードグラフィック客体５００５、現在按摩オプショングラフィック客体５００４の機能は、図１５を参照して説明した内容と同じであるため省略する。
【０２０６】
図１７は、本開示内容の一実施例により按摩装置のディスプレイに表示される下位メニュー画面の概略図である。
【０２０７】
図１７に図示された按摩オプションモード画面情報１３００１は、最上位メニュー画面１００００が表示された状態で入力部１０４が使用者から按摩オプションモードグラフィック客体１３０００に対する入力を受信する場合にディスプレイに表示され得る。制御部２０５は入力部が使用者から按摩オプションモードグラフィック客体１３０００に対する入力を受信する場合、按摩オプションモード画面情報１３００１をディスプレイに表示することを決定することができる。
【０２０８】
按摩オプションモード画面情報１３００１はブレーンマッサージ設定グラフィック客体１３１００、使用者便宜機能設定グラフィック客体１３３００を含むことができる。また、按摩オプションモード画面情報１３００１はメニュー状態グラフィック客体５０００およびスクロール機能と連携されたスクロールグラフィック客体５００１をさらに含むことができる。
【０２０９】
ブレーンマッサージ設定グラフィック客体１３１００は、ブレーンマッサージの機能を設定可能な画面情報１３００２を出力する機能が連携されたグラフィック客体であり得る。ブレーンマッサージの機能設定は、ブレーンマッサージのための出力の種類および出力の強度に対する設定を含むことができる。制御部２０５は入力部１０４が使用者からブレーンマッサージ設定グラフィック客体１３１００に対する入力を受信する場合、ブレーンマッサージ機能を設定できるブレーンマッサージ機能画面情報１３００２をディスプレイに表示することを決定することができる。ブレーンマッサージ設定グラフィック客体１３１００に対する使用者入力が受信される場合、ディスプレイ１０５はブレーンマッサージ機能画面情報１３００２に切り替えられ得る。
【０２１０】
使用者便宜機能設定グラフィック客体１３３００は使用者便宜機能メニュー１３３００と対応するグラフィック客体であり得る。使用者便宜機能設定グラフィック客体１３３００は例えば、按摩モジュール１０２のローリング強度、按摩装置１００の温熱機能の温度調節、按摩モジュール１０２のローリング速度、按摩モジュール１０２のエアバックマッサージの強度などを調節できる機能が連携されたグラフィック客体であり得る。使用者便宜機能設定グラフィック客体１３３００は図１７に図示された例示と同様に、下位メニューを含む単一のグラフィック客体で表示されてもよく、使用者便宜機能メニューの下位メニューに含まれるそれぞれの機能と連携される多数のグラフィック客体で表示されてもよい。すなわち、例えば、使用者便宜機能設定グラフィック客体１３３００は、温熱機能設定と連携されたグラフィック客体、按摩モジュールのローリング速度設定と連携されたグラフィック客体などのそれぞれのグラフィック客体で表示されてもよい。
【０２１１】
図１８は、本開示内容の一実施例により按摩装置のディスプレイに表示される下位メニュー画面の概略図である。
【０２１２】
図１８に図示されたブレーンマッサージ機能画面情報１３００２は、按摩モードオプション画面情報１３００１が表示された状態で入力部１０４が使用者からブレーンマッサージ設定グラフィック客体１３１００に対する入力を受信する場合にディスプレイに表示され得る。制御部２０５は入力部１０４が使用者からブレーンマッサージ設定グラフィック客体１３１００に対する入力を受信する場合、ブレーンマッサージ機能画面情報１３００２をディスプレイに表示することを決定することができる。
【０２１３】
ブレーンマッサージ機能画面情報１３００２はブレーンマッサージの機能を設定できるメニューを含むことができる。ブレーンマッサージ機能画面情報１３００２はブレーンヒーリング出力選択グラフィック客体１３１１０、１３１３０およびブレーンヒーリング出力強度選択グラフィック客体１３１５０を含むことができる。ブレーンマッサージ機能画面情報１３００２はさらにメニュー状態グラフィック客体５０００を含むことができ、現在のメニューがブレーンマッサージの機能を設定できるメニューであることを表すインデックスグラフィック客体５０１０を含むことができる。インデックスグラフィック客体５０１０はメニューの深さ（ｄｅｐｔｈ）を表すように構成され得る。
【０２１４】
ブレーンヒーリング出力選択グラフィック客体１３１１０、１３１３０は、ブレーンマッサージのブレーンヒーリング出力の種類を選択する機能が連携されたグラフィック客体であり得る。図１８に図示された例示において、ブレーンヒーリング出力は集中力モードと関連した出力を決定する機能と連携されたグラフィック客体１３１１０、瞑想モードと関連した出力を決定する機能と連携されたグラフィック客体１３１３０を図示するか、本開示はこれに制限されない。制御部２０５は入力部１０４が使用者からブレーンヒーリング出力選択グラフィック客体１３１１０、１３１３０に対する入力を受信する場合、選択されたブレーンヒーリング出力の細部種類を選択できるように、ブレーンヒーリング出力細部種類選択画面情報１３００３をディスプレイに表示することを決定することができる。例えば、使用者が集中力モードと関連した出力を決定する機能と連携されたグラフィック客体１３１１０を選択する場合、制御部２０５は使用者が集中力モードと関連した出力の細部出力を選択できるように、ブレーンヒーリング出力細部種類選択画面情報１３００３をディスプレイに表示することを決定することができる。
【０２１５】
図１９は、本開示内容の一実施例により按摩装置のディスプレイに表示される下位メニュー画面の概略図である。
【０２１６】
図１９に図示されたブレーンヒーリング出力細部種類選択画面情報１３００３は、ブレーンマッサージ機能画面情報１３００２が表示された状態で入力部１０４が使用者からブレーンヒーリング出力選択グラフィック客体１３１１０、１３１３０のうち、集中力モードと関連した出力を決定する機能と連携されたグラフィック客体１３１１０に対する入力を受信する場合にディスプレイされる画面の例示であり得る。制御部２０５は入力部１０４が使用者からブレーンヒーリング出力選択グラフィック客体１３１１０、１３１３０に対する入力を受信する場合、選択されたブレーンヒーリング出力の細部種類を選択できるように、ブレーンヒーリング出力細部種類選択画面情報１３００３をディスプレイに表示することを決定することができる。
【０２１７】
ブレーンヒーリング出力細部種類選択画面情報１３００３は、選択されたブレーンヒーリング出力の細部種類を選択できるメニューを含むことができる。ブレーンヒーリング出力細部種類選択画面情報１３００３は、ブレーンヒーリング出力の細部種類を選択する機能が連携されたブレーンヒーリング出力細部種類グラフィック客体１３１１１を含むことができる。ブレーンヒーリング出力細部種類選択画面情報１３００３はさらに、メニュー状態グラフィック客体５０００、スクロールグラフィック客体５００１、現在のメニューの深さを表すように構成されたインデックスグラフィック客体５０１０を含むことができる。また、ブレーンヒーリング出力細部種類選択画面情報１３００３はさらに、選択したブレーンヒーリング出力の種類を表示するブレーンヒーリング出力表示グラフィック客体５０１１を含むことができる。
【０２１８】
ブレーンヒーリング出力細部種類グラフィック客体１３１１１のそれぞれのグラフィック客体を使用者が選択する場合、制御部２０５は選択されたグラフィック客体に基づいた出力を生成することができる。例えば、使用者が任意再生を選択した場合、制御部２０５は集中力に関連したあらかじめ保存された音響出力を任意に再生することを決定することができる。この場合、制御部２０５は出力の音響を調節できる機能と連携された画面情報を出力してもよい。
【０２１９】
本開示内容の一実施例に係る按摩装置１００は、ブレーンマッサージのための音声出力を提供することができ、按摩装置１００の按摩モード操作と音声出力操作を同時に遂行できるため、使用者操作の直観性および便宜性が向上し得る。
【０２２０】
本開示内容の一実施例により、按摩椅子で提供される自動按摩モードの特性に合うように音源のボリュームおよびバイノーラル周波数の変更量および変更がリアルタイムで行われるため、使用者に最適なヒーリング音源を提供するとともに、按摩機能の効果が最大化され得る。
【０２２１】
本開示内容の技術分野で通常の知識を有する者は、情報、信号およびデータが任意の多様な異なる技術および技法を利用して表現され得ることが理解できるであろう。例えば、前記の説明から参照され得るデータ、情報、命令、信号、ビット、シンボルおよびチップは、電圧、電流、電磁波、磁場または粒子、光学場または粒子、またはこれらの任意の結合によって表現され得る。
【０２２２】
本開示内容の技術分野で通常の知識を有する者は、ここに開示された実施例と関連して説明された多様な例示的な論理ブロック、モジュール、プロセッサ、手段、回路およびアルゴリズム段階が、電子ハードウェア、（便宜のために、ここで「ソフトウェア」と称される）多様な形態のプログラムまたは設計コードまたはこれらすべての結合によって具現され得ることが理解できるであろう。ハードウェアおよびソフトウェアのこのような相互間の互換性を明確に説明するために、多様な例示的なコンポーネント、ブロック、モジュール、回路および段階がこれらの機能と関連して前記において一般的に説明された。このような機能がハードウェアまたはソフトウェアとして具現されるかどうかは、特定のアプリケーションおよび全体システムに加えられる設計制約により左右される。本開示の技術分野で通常の知識を有する者は、それぞれの特定のアプリケーションに対し多様な方式で説明された機能を具現することができるが、このような具現の決定は本開示の範囲を逸脱するものと解釈されてはならない。
【０２２３】
ここに開示された実施例と関連して説明された多様な例示的な動作、論理ブロック、モジュールおよび回路は互いに交換可能に使用され、そしてここで説明される機能を遂行するように設計された汎用プロセッサ、デジタル信号プロセッサ（ＤＳＰ）、アプリケーション特定集積回路（ＡＳＩＣ）、フィールドプログラミング可能なゲートアレイ（ＦＰＧＡ）または他のプログラミング可能なロジック装置、離散ゲートまたはトランジスターロジック、離散ハードウェアコンポーネントまたはこれらの任意の組み合わせを通じて具現されるかまたは遂行され得る。汎用プロセッサはマイクロ・プロセッサであり得、代案として汎用プロセッサは任意の既存のプロセッサ、制御器、マイクロコントローラーまたは状態マシンであり得る。プロセッサはまた、コンピューティング装置の組み合わせ、例えば、ＤＳＰおよびマイクロ・プロセッサの組み合わせ、複数のマイクロ・プロセッサ、ＤＳＰコアと連結された一つ以上のマイクロ・プロセッサまたは任意の他のこのような構成で具現され得る。
【０２２４】
提示されたプロセスおよび方法にある段階の特定の順序または階層構造は例示的な接近の一例であることを理解するようにする。設計優先順位に基づいて、本開示の範囲内でプロセスにある段階の特定の順序または階層構造が再配列され得ることを理解するようにする。添付された方法請求項はサンプル順序として多様な段階のエレメントを提供するが、提示された特定の順序または階層構造に限定されることを意味しはしない。
【０２２５】
ここで提示される実施例と関連して説明される方法またはアルゴリズムの段階は、ハードウェアで直接具現されたり、プロセッサによって実行されるソフトウェアモジュールで具現されたり、またはこれらの結合によって具現され得る。（例えば、実行可能な命令および関連したデータを含む）ソフトウェアモジュールおよび他のデータは、ＲＡＭメモリ、フラッシュメモリ、ＲＯＭメモリ、ＥＰＲＯＭメモリ、ＥＥＰＲＯＭメモリ、レジスタ、ハードディスク、移動式ディスク、ＣＤ−ＲＯＭ、または技術的に公知とされている任意の他の形態の保存媒体のようなデータメモリ（例えば、コンピューター読み取り可能保存媒体）に保存され得る。例示的な保存媒体は（便宜のために、「プロセッサ」と称され得る）コンピューターまたはプロセッサのようなマシンに連結され得、その結果プロセッサは保存媒体からの情報（例えば、ソフトウェア命令）を読み出して保存媒体に情報を記録することができる。例示的な保存媒体はプロセッサで統合され得る。プロセッサおよび保存媒体はＡＳＩＣ内に含まれ得る。ＡＳＩＣは使用者装置内に含まれ得る。代案として、プロセッサおよび保存媒体は使用者装置内に個別的なコンポーネントとして含まれ得る。
【０２２６】
一つ以上の例示的な設計において、説明される技術はハードウェア、ソフトウェア、ファームウェアまたはこれらの任意の結合で具現され得る。もし、ソフトウェアで具現されるのであれば、機能はコンピューター読み取り可能保存媒体に保存され得たり、コンピューター読み取り可能媒体にコード化され得る。コンピューター読み取り可能媒体はあるところから他のところにコンピュータープログラムの伝送を容易にする任意の媒体を含むコンピューター読み取り可能保存媒体およびコンピューター読み取り可能伝送媒体をすべて含む。コンピューター読み取り可能保存媒体は、汎用または特殊目的のコンピューターによってアクセスされ得る任意の利用可能な媒体であり得る。例として、制限しはせず、このようなコンピューター読み取り可能保存媒体はＲＡＭ、ＲＯＭ、ＥＥＰＲＯＭ、ＣＤ−ＲＯＭまたは他の光学ディスク保存所、磁場ディスク保存所または他の磁場保存所デバイス、または汎用または特殊目的のコンピューター、または汎用または特殊目的のプロセッサによってアクセスされ得、指示またはデータ構造の形式で要求されるプログラムコード手段を保存するために利用され得る任意の他の媒体を含むことができる。他の例示として、もしソフトウェアが同軸ケーブル、光ファイバーケーブル、ツイストペア、デジタル加入者回線（ＤＳＬ）、または赤外線、無線、およびマイクロウエーブのような無線技術を利用して、ウェブサイト、サーバー、または他の遠隔ソースから伝送されるのであれば、同軸ケーブル、光ファイバーケーブル、ツイストペア、デジタル加入者回線（ＤＳＬ）、または赤外線、無線、およびマイクロウエーブのような無線技術は、コンピューター読み取り可能伝送媒体の定義に含まれる。ここで使われるように、ディスク（ｄｉｓｋ）およびディスク（ｄｉｓｃ）は、コンパクトディスク（ＣＤ）、レーザーディスク（登録商標）、光学ディスク、ＤＶＤ、フロッピーディスクおよびブルーレイディスクを含み、ここでディスク（ｄｉｓｃ）はデータをレーザーで光学的に再生する反面、ディスク（ｄｉｓｋ）は普通データを磁気的に再生する。前述したものの組み合わせもコンピューター読み取り可能媒体の範囲に含まれるであろう。
【０２２７】
提示された実施例に対する説明は、任意の本開示の技術分野で通常の知識を有する者が本発明を利用したり、または実施できるように提供される。このような実施例に対する多様な変形は本開示の技術分野で通常の知識を有する者に明白なものであり、ここに定義された一般的な原理は本開示の範囲を逸脱することなく他の実施例に適用され得る。そして、本開示はここに提示された実施例に限定されるものではなく、ここに提示された原理および新規の特徴と一貫する最広義の範囲で解釈されるべきである。
【図１】
0006963688.tif 000002
【図２】
0006963688.tif 000003
【図３】
0006963688.tif 000004
【図４】
0006963688.tif 000005
【図５】
0006963688.tif 000006
【図６】
0006963688.tif 000007
【図７】
0006963688.tif 000008
【図８】
0006963688.tif 000009
【図９】
0006963688.tif 000010
【図１０】
0006963688.tif 000011
【図１１】
0006963688.tif 000012
【図１２】
0006963688.tif 000013
【図１３】
0006963688.tif 000014
【図１４】
0006963688.tif 000015
【図１５】
0006963688.tif 000016
【図１６】
0006963688.tif 000017
【図１７】
0006963688.tif 000018
【図１８】
0006963688.tif 000019
【図１９】
0006963688.tif 000020